(57)【特許請求の範囲】
【請求項１】
第１の進化型ノードＢ（ｅＮＢ）であって、
ユーザ機器（ＵＥ）と通信するセルラトランシーバと、
少なくとも１つの第２のｅＮＢと通信するＸ２インタフェースと、
前記第２のｅＮＢに、コアネットワークノード検出要求を含む第１のメッセージを送信し、前記第２のｅＮＢから、コアネットワークノード識別子を含む第２のメッセージを受信し、前記コアネットワークノード識別子を使用して当該第１のｅＮＢとコアネットワークとの間にＳ１接続を確立するコントローラと、を備え、
前記コアネットワークノード識別子は、モビリティ管理エンティティ（ＭＭＥ）識別子を含む、第１のｅＮＢ。
【請求項２】
前記コアネットワークと通信するコアネットワークインタフェースを備え、
前記コントローラは、前記コアネットワークから前記コアネットワークインタフェースが切断されると、前記第１のメッセージを送信する、請求項１に記載の第１のｅＮＢ。
【請求項３】
前記コントローラは、複数の第２のｅＮＢに前記第１のメッセージを送信し、前記複数の第２のｅＮＢのうちの２または２より多いものから、複数のコアネットワークノード識別子を含む２または２より多い第２のメッセージを受信し、前記複数のコアネットワークノード識別子のうち選択されたコアネットワークノード識別子を使用して、前記コアネットワークとの前記Ｓ１接続を確立する、請求項１に記載の第１のｅＮＢ。
【請求項４】
前記コントローラは、前記第１のｅＮＢと前記第２のｅＮＢとの間でＸ２アプリケーションプロトコル（Ｘ２ＡＰ）メッセージを通信し、
前記Ｘ２ＡＰメッセージは、前記コアネットワークノード識別子を含み、前記第１のｅＮＢと前記コアネットワークとの間の前記Ｓ１接続のＳ１アプリケーションプロトコル（Ｓ１ＡＰ）メッセージをカプセル化する、請求項１に記載の第１のｅＮＢ。
【請求項５】
前記Ｘ２ＡＰメッセージは、Ｘ２ＡＰ転送メッセージを含む、請求項４に記載の第１のｅＮＢ。
【請求項６】
前記ＭＭＥ識別子は、ＭＭＥインターネットプロトコル（ＩＰ）アドレス、またはグローバル一意ＭＭＥ識別子（ＧＵＭＭＥＩ）を含む、請求項１〜５のいずれか一項に記載の第１のｅＮＢ。
【請求項７】
前記第１のメッセージは、Ｘ２アプリケーションプロトコル（Ｘ２ＡＰ）バックホール接続性要求を含み、前記第２のメッセージは、Ｘ２ＡＰバックホール接続性応答を含む、請求項１から６のいずれか一項に記載の第１のｅＮＢ。
【請求項８】
１または複数のアンテナ、メモリ、およびプロセッサを備える、請求項１から７のいずれか一項に記載の第１のｅＮＢ。
【請求項９】
第１の進化型ノードＢ（ｅＮＢ）を備えるセルラ通信のシステムであって、
コアネットワークと通信するコアネットワークインタフェースと、
少なくとも１つの第２のｅＮＢと通信するＸ２インタフェースと、
前記第２のｅＮＢから、コアネットワークノード検出要求を受信し、前記第２のｅＮＢに、コアネットワークノードを表わすコアネットワークノード識別子を含む応答を送信するコントローラと、を備え、
前記コントローラは、前記第２のｅＮＢから、前記コアネットワークノードに接続するための要求を受信し、前記コントローラは、前記第１のｅＮＢを介して前記第２のｅＮＢと前記コアネットワークとの間にＳ１接続を確立し、
前記コアネットワークノード識別子は、モビリティ管理エンティティ（ＭＭＥ）識別子を含むシステム。
【請求項１０】
前記コントローラは、前記第１のｅＮＢと前記第２のｅＮＢとの間でＸ２アプリケーションプロトコル（Ｘ２ＡＰ）メッセージを通信し、
前記Ｘ２ＡＰメッセージは、前記コアネットワークノード識別子を含み、前記第２のｅＮＢと前記コアネットワークとの間の前記Ｓ１接続のＳ１アプリケーションプロトコル（Ｓ１ＡＰ）メッセージをカプセル化し、
前記コントローラは、前記第１のｅＮＢと前記コアネットワークノードとの間のトランスポートレイヤ接続を介して、前記コアネットワークと前記Ｓ１ＡＰメッセージを通信する、請求項９に記載のシステム。
【請求項１１】
前記トランスポートレイヤ接続は、前記第１のｅＮＢと前記コアネットワークノードとの間のストリーム制御通信プロトコル（ＳＣＴＰ）接続を含む、請求項１０に記載のシステム。
【請求項１２】
前記コントローラは、複数の第２のｅＮＢと前記コアネットワークノードとの間で通信すべく、前記ＳＣＴＰ接続を確立する、請求項１１に記載のシステム。
【請求項１３】
前記コアネットワークノード識別子は、前記第１のｅＮＢのアドレスを含む、請求項９から１２のいずれか一項に記載のシステム。
【請求項１４】
前記コントローラは、前記第２のｅＮＢから、前記第１のｅＮＢにアドレス指定されたＳ１アプリケーションプロトコル（Ｓ１ＡＰ）セットアップメッセージを受信し、
前記コントローラは、前記第１のｅＮＢと前記第２のｅＮＢとの間のＳ１接続をセットアップし、前記Ｓ１接続を、前記第１のｅＮＢと前記コアネットワークのモビリティ管理エンティティ（ＭＭＥ）との間のストリーム制御通信プロトコル（ＳＣＴＰ）接続にマッピングし、前記Ｓ１接続を介して前記第２のｅＮＢとＳ１ＡＰメッセージを通信し、前記ＳＣＴＰ接続を介して前記ＭＭＥと前記Ｓ１ＡＰメッセージを通信する、請求項１３に記載のシステム。
【請求項１５】
前記第１のｅＮＢは、１または複数のアンテナ、メモリ、およびプロセッサを含む、請求項９から１４のいずれか一項に記載のシステム。
【請求項１６】
第１の進化型ノードＢ（ｅＮＢ）において実行される方法であって、
第２のｅＮＢからのコアネットワークノード検出要求に応じて、コアネットワークノード識別子を含む応答を前記第２のｅＮＢに送信し、前記コアネットワークノード識別子によって識別されたコアネットワークノードとのＳ１接続をセットアップするための要求を前記第２のｅＮＢから受信して、前記第１のｅＮＢを介して前記第２のｅＮＢと前記コアネットワークノードとの間の前記Ｓ１接続を確立する段階と、
前記第１のｅＮＢと前記第２のｅＮＢとの間でＸ２アプリケーションプロトコル（Ｘ２ＡＰ）メッセージを通信する段階と、を備え、
前記Ｘ２ＡＰメッセージは、前記コアネットワークノードのコアネットワークノード識別子を含み、前記第２のｅＮＢと前記コアネットワークノードとの間の前記Ｓ１接続のＳ１ＡＰメッセージをカプセル化し、
前記コアネットワークノード識別子は、モビリティ管理エンティティ（ＭＭＥ）識別子を含む、方法。
【請求項１７】
前記第２のｅＮＢから、コアネットワークノード検出要求を受信する段階と、
前記第２のｅＮＢに、前記コアネットワークノードのコアネットワークノード識別子を含む応答を送信する段階と、を備える、請求項１６に記載の方法。
【請求項１８】
前記第１のｅＮＢと前記コアネットワークノードとの間のトランスポートレイヤ接続を介して前記Ｓ１接続を確立する段階を備える、請求項１６または１７に記載の方法。
【請求項１９】
コンピュータに、第１の進化型ノードＢ（ｅＮＢ）において、
第２のｅＮＢに、コアネットワークノード検出要求を含む第１のメッセージを送信する手順と、
前記第２のｅＮＢから、コアネットワークノード識別子を含む第２のメッセージを受信する手順と、
前記コアネットワークノード識別子を使用して、前記第１のｅＮＢとコアネットワークとの間にＳ１接続を確立する手順と、を実行させ、
前記コアネットワークノード識別子は、モビリティ管理エンティティ（ＭＭＥ）識別子を含むプログラム。
【請求項２０】
前記コンピュータに、
複数の第２のｅＮＢに、前記第１のメッセージを送信する手順と、
前記複数の第２のｅＮＢのうちの２または２より多いものから、複数のコアネットワークノード識別子を含む２または２より多い第２のメッセージを受信する手順と、
前記複数のコアネットワークノード識別子のうち選択されたコアネットワークノード識別子を使用して、前記コアネットワークとの前記Ｓ１接続を確立する手順と、を実行させる、請求項１９に記載のプログラム。
【請求項２１】
前記コンピュータに、
前記第１のｅＮＢと前記第２のｅＮＢとの間でＸ２アプリケーションプロトコル（Ｘ２ＡＰ）メッセージを通信する手順を実行させ、
前記Ｘ２ＡＰメッセージは、前記コアネットワークノード識別子を含み、前記第１のｅＮＢと前記コアネットワークとの間の前記Ｓ１接続のＳ１ＡＰメッセージをカプセル化する、請求項１９または２０に記載のプログラム。
【請求項２２】
請求項１９から２１のいずれか一項に記載のプログラムを格納するコンピュータ可読記憶媒体。
【発明の詳細な説明】
【技術分野】
【０００１】
［相互参照］
本願は、２０１４年４月２８日に出願された、米国仮特許出願第６１／９８５，４０１号（発明の名称「回復性の高いＥＮＢ動作のためのＸ２トンネリング」）に基づく優先権の利益を主張し、当該出願の全開示は、参照により本明細書に組み込まれる。
【０００２】
本明細書に記載のいくつかの実施形態は概して、セルラノードとコアネットワークとの間の接続を確立することに関する。
【背景技術】
【０００３】
セルラネットワークにおいては、複数のセルラノードが、複数のコアネットワーク接続を介してコアネットワーク（ＣＮ）に接続され得る。
【０００４】
例えば、ロングタームエボリューション（ＬＴＥ）セルラネットワークにおいては、複数の進化型ノードＢ（ｅＮＢ）が、例えば、Ｓ１接続等の複数のバックホール接続を介してコアネットワークに接続され得る。
【０００５】
状況によっては、１または複数のセルラノードおよびコアネットワーク間のバックホール接続は、例えば、故障、妨害、または災害に起因して、切断され得る。
【０００６】
コアネットワークからのセルラノードの一時的または永久的な切断に対する解決手段を提供する必要がある。
【０００７】
説明の簡略化および明確化のため、図面内に示される要素は必ずしも縮尺通りではない。例えば、明確に示すために、いくつかの要素の寸法は、他の要素に対し、強調されることがある。さらに、対応するまたは類似の要素を示すために、参照符号が図面にわたり反復して使用されることがある。添付図面は以下の通りである。
【図面の簡単な説明】
【０００８】
【図１】Ａは、いくつかの例示的な実施形態による、セルラシステムの略図である。Ｂは、いくつかの例示的な実施形態による、コアネットワークからのセルラノードの切断後、Ａのシステムにおいてセルラノードとコアネットワークとの間に確立された接続の略図である。
【０００９】
【図２】いくつかの例示的な実施形態による、セルラノードの概略ブロック図である。
【００１０】
【図３】いくつかの例示的な実施形態による、セルラノードとコアネットワークとの間の接続を確立する方法の概略フローチャートである。
【００１１】
【図４】いくつかの例示的な実施形態による、製品の略図である。
【発明を実施するための形態】
【００１２】
以下の詳細な説明では、いくつかの実施形態について、完全な理解を供すべく、多数の具体的な詳細が記載されている。しかしながら、当業者であれば、これらの具体的な詳細がなくともいくつかの実施形態を実施可能であることが理解されよう。他の例において、周知の方法、手順、コンポーネント、ユニットおよび／または回路は、本開示を曖昧にしないよう、詳細には記載されていない。
【００１３】
例えば、「処理」、「コンピューティング」、「計算」、「判断」、「確立」、「解析」、「チェック」等のような用語を使用する本明細書の言及は、コンピュータのレジスタおよび／またはメモリ内の物理（例えば、電子）量として表されるデータを操作し、および／またはそれをコンピュータのレジスタおよび／またはメモリまたは、動作および／または処理を実行するための命令を格納し得る他の情報記憶媒体内の物理量として同様に表される他のデータに変換する、コンピュータ、コンピューティングプラットホーム、コンピューティングシステム、または他の電子コンピューティングデバイスの動作および／または処理を指してよい。
【００１４】
本明細書で使用される「複数（ｐｌｕｒａｌｉｔｙ）」「複数の（ａ  ｐｌｕｒａｌｉｔｙ）」という用語は、例えば、「複数の（ｍｕｌｔｉｐｌｅ）」または「２または２より多い」を含む。例えば、「複数のアイテム（ａ  ｐｌｕｒａｌｉｔｙ  ｏｆ  ｉｔｅｍｓ）」は、２または２より多いアイテムを含む。
【００１５】
「一実施形態」、「実施形態」、「例示的な実施形態」、「様々な実施形態」等という言及は、そのように記載された実施形態が、特定の機能、構造、または特性を含んでよいが、必ずしもすべての実施形態が当該特定の機能、構造、または特性を含むわけではないことを示す。さらに、反復して使用される「一実施形態において」という文言は必ずしも、同一の実施形態を指さないが、指してもよい。
【００１６】
本明細書で使用される共通のオブジェクトを記載するための「第１」、「第２」、「第３」等の序数形容詞の使用は、別途の記載がない限り、同様のオブジェクトの異なる例が言及されていることを示すにすぎず、そのように記載されたオブジェクトが、時間的、空間的、ランキング的、または任意の他の態様のいずれかにおいて、特定の順番である必要があることを示唆する意図ではない。
【００１７】
いくつかの実施形態は、様々なデバイスおよびシステムと連携して使用可能であり、例えば、ユーザ機器（ＵＥ）、モバイルデバイス（ＭＤ）、無線ステーション（ＳＴＡ）、パーソナルコンピュータ（ＰＣ）、デスクトップコンピュータ、モバイルコンピュータ、ラップトップコンピュータ、ノートブックコンピュータ、タブレットコンピュータ、スマートフォンデバイス、サーバコンピュータ、ハンドヘルドコンピュータ、ハンドヘルドデバイス、パーソナルデジタルアシスタント（ＰＤＡ）デバイス、ハンドヘルドＰＤＡデバイス、オンボードデバイス、オフボードデバイス、ハイブリッドデバイス、車両デバイス、非車両デバイス、モバイルまたはポータブルデバイス、コンシューマデバイス、非モバイルまたは非ポータブルデバイス、無線通信ステーション、無線通信デバイス、無線アクセスポイント（ＡＰ）、無線ノード、ベースステーション（ＢＳ）、有線または無線ルータ、有線または無線モデム、ビデオデバイス、オーディオデバイス、オーディオビデオ（Ａ／Ｖ）デバイス、有線または無線ネットワーク、無線エリアネットワーク、セルラネットワーク、セルラノード、セルラデバイス、無線ローカルエリアネットワーク（ＷＬＡＮ）、多入力多出力（ＭＩＭＯ）トランシーバまたはデバイス、単一入力多出力（ＳＩＭＯ）トランシーバまたはデバイス、多入力単一出力（ＭＩＳＯ）トランシーバまたはデバイス、１または複数の内部アンテナおよび／または外部アンテナを有するデバイス、デジタルビデオブロードキャスト（ＤＶＢ）デバイスまたはシステム、マルチスタンダード無線デバイスまたはシステム、例えば、スマートフォン、無線アプリケーションプロトコル（ＷＡＰ）デバイス、自動販売機、販売用端末等の有線または無線ハンドヘルドデバイスが挙げられる。
【００１８】
いくつかの実施形態は、既存のロングタームエボリューション（ＬＴＥ）仕様（３ＧＰＰ  ＴＳ  ３６．４１３（３ＧＰＰ  ＴＳ  ３６．４１３  Ｖ１２．１．０（２０１４−０３）；Ｔｅｃｈｎｉｃａｌ  Ｓｐｅｃｉｆｉｃａｔｉｏｎ；３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｓ１  Ａｐｐｌｉｃａｔｉｏｎ  Ｐｒｏｔｏｃｏｌ  （Ｓ１ＡＰ）（Ｒｅｌｅａｓｅ  １２）；および／または３ＧＰＰ  ３６．４２３（３  ＧＰＰ  ＴＳ  ３６．４２３  Ｖ１２．１．０（２０１４−０３）；Ｔｅｃｈｎｉｃａｌ  Ｓｐｅｃｉｆｉｃａｔｉｏｎ；３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｘ２  ａｐｐｌｉｃａｔｉｏｎ  ｐｒｏｔｏｃｏｌ（Ｘ２ＡＰ）；（Ｒｅｌｅａｓｅ  １２）を含む）、および／またはそれらの将来のバージョンおよび／または派生物に従って動作するデバイスおよび／またはネットワークと、既存のＩＥＥＥ  ８０２．１６規格（ＩＥＥＥ−Ｓｔｄ  ８０２．１６，２００９  Ｅｄｉｔｉｏｎ，  Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ；ＩＥＥＥ−Ｓｔｄ  ８０２．１６ｅ，２００５  Ｅｄｉｔｉｏｎ，Ｐｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ；  ａｍｅｎｄｍｅｎｔ  ｔｏ  ＩＥＥＥ  Ｓｔｄ  ８０２．１６−２００９，  ｄｅｖｅｌｏｐｅｄ  ｂｙ  Ｔａｓｋ  Ｇｒｏｕｐ  ｍ）、および／またはそれらの将来のバージョンおよび／または派生物に従って動作するデバイスおよび／またはネットワークと、上記ネットワークの一部であるユニットおよび／またはデバイス等と、連携して使用されてよい。
【００１９】
いくつかの実施形態は、１または複数のタイプの無線通信信号および／またはシステムと連携して使用されてよい。例えば、無線周波数（ＲＦ）、周波数分割多重（ＦＤＭ）、直交ＦＤＭ（ＯＦＤＭ）、シングルキャリア周波数分割多重アクセス（ＳＣ‐ＦＤＭＡ）、時分割多重（ＴＤＭ）、時分割多重アクセス（ＴＤＭＡ）、拡張ＴＤＭＡ（Ｅ‐ＴＤＭＡ）、汎用パケット無線サービス（ＧＰＲＳ）、拡張ＧＰＲＳ、符号分割多重アクセス（ＣＤＭＡ）、広帯域ＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、離散マルチトーン（ＤＭＴ）、Ｂｌｕｅｔｏｏｔｈ（登録商標）、全地球測位システム（ＧＰＳ）、ワイファイ（Ｗｉ−Ｆｉ）、Ｗｉ−Ｍａｘ（登録商標）、ＺｉｇＢｅｅ（登録商標）、超広帯域（ＵＷＢ）、グローバルシステムフォーモバイルコミュニケーション（ＧＳＭ（登録商標））、第２世代（２Ｇ）、２．５Ｇ、３Ｇ、３．５Ｇ、４Ｇ、第５世代（５Ｇ）モバイルネットワーク、３ＧＰＰ、ロングタームエボリューション（ＬＴＥ）セルラシステム、ＬＴＥアドバンスセルラシステム、高速ダウンリンクパケットアクセス（ＨＳＤＰＡ）、高速アップリンクパケットアクセス（ＨＳＵＰＡ）、高速パケットアクセス（ＨＳＰＡ）、ＨＳＰＡ＋、シングルキャリア無線伝送技術（１ＸＲＴＴ）、エボリューションデータオプティマイズド（ＥＶ‐ＤＯ）、ＧＳＭ（登録商標）進化型高速データレート（ＥＤＧＥ）等が挙げられる。複数の他の実施形態が、様々な他のデバイス、システムおよび／またはネットワークにおいて使用されてよい。
【００２０】
本明細書で使用される用語「無線デバイス」は、例えば、無線通信が可能なデバイス、無線通信が可能な通信デバイス、無線通信が可能な通信ステーション、無線通信が可能なポータブルまたは非ポータブルデバイス等を含む。いくつかの例示的な実施形態において、無線デバイスは、コンピュータと統合された周辺機器、またはコンピュータに取り付けられた周辺機器であってよく、またはそれらを含んでよい。いくつかの例示的な実施形態において、用語「無線デバイス」は、オプションで無線サービスを含んでよい。
【００２１】
本明細書で、通信信号に関して使用される用語「通信」は、通信信号の送信および／または通信信号の受信を含む。例えば、通信信号を通信可能な通信ユニットは、少なくとも１つの他の通信ユニットに通信信号を送信するトランスミッタ、および／または少なくとも１つの他の通信ユニットから通信信号を受信する通信レシーバを含んでよい。「通信する」という動詞は、送信アクションまたは受信アクションを指すために使用されてよい。一例において、「信号を通信する」という文言は、第１のデバイスによる信号の送信アクションを指してよく、必ずしも第２のデバイスによる信号の受信アクションは含まなくてよい。別の例において、「信号を通信する」という文言は、第１のデバイスによる信号の受信アクションを指してよく、必ずしも第２のデバイスによる信号の送信アクションは含まなくてよい。
【００２２】
本明細書において、いくつかの例示的な実施形態が、ＬＴＥネットワークに関して記載される。しかしながら、複数の他の実施形態が、任意の他の好適なセルラネットワークまたはシステム、例えば、ユニバーサルモバイルテレコミュニケーションズシステム（ＵＭＴＳ）セルラシステム、ＧＳＭ（登録商標）ネットワーク、３Ｇセルラシステム、４Ｇセルラネットワーク、４．５Ｇネットワーク、５Ｇセルラネットワーク、ＷｉＭａｘセルラネットワーク等において実装されてよい。
【００２３】
いくつかの例示的な実施形態は、技術、周波数、セルサイズおよび／または、例えばセルラ、ｍｍＷａｖｅ、および／または同様のものを含むネットワークアーキテクチャが混在したものの展開を利用し得る異機種ネットワーク（ＨｅｔＮｅｔ）と連携して使用されてよい。一例において、ＨｅｔＮｅｔは、大きなマクロセルから、例えば、ピコセルおよびフェムトセルといった小さなセルにわたる、異なるサイズのセルから構成されるレイヤを有する無線アクセスネットワークを含んでよい。複数の他の実施形態は、任意の他の好適な無線通信ネットワークと連携して使用されてよい。
【００２４】
本明細書で使用される用語「アンテナ」は、１または複数のアンテナ要素、コンポーネント、ユニット、アセンブリおよび／またはアレイから成る任意の好適な構成、構造および／または配置を含んでよい。いくつかの実施形態において、アンテナは、別個の送信および受信アンテナ要素を使用して、送信および受信機能を実装してよい。いくつかの実施形態において、アンテナは、共通のおよび／または統合された送信／受信要素を使用して、送信および受信機能を実装してよい。アンテナは、例えば、フェーズドアレイアンテナ、単一要素アンテナ、ダイポールアンテナ、ビーム切り替えアンテナのセット、および／またはそれらと同様のものを含んでよい。
【００２５】
本明細書で使用される用語「セル」は、例えば、ダウンリンクリソースおよびオプションでアップリンクリソース等のネットワークリソースの組み合わせを含んでよい。当該リソースは、例えば、セルラノード（「ベースステーション」とも呼ばれる）または同様のものによって、制御および／または割り当てられてよい。ダウンリンクリソースのキャリア周波数とアップリンクリソースのキャリア周波数との間のリンク設定は、ダウンリンクリソースで送信されるシステム情報において示されてよい。
【００２６】
図１のＡを参照すると、いくつかの例示的な実施形態による、セルラシステム１００のブロック図が概略的に示されている。一例において、セルラシステム１００は、例えば、ロングタームエボリューション（ＬＴＥ）またはＬＴＥアドバンスセルラシステム、ＷｉＭＡＸ（登録商標）セルラシステム等の第４世代セルラシステムを含んでよい。他の実施形態において、システム１００は任意の他のセルラシステムを含んでよい。
【００２７】
図１に示される通り、いくつかの例示的な実施形態において、システム１００は、例えば、セルラノード１０６、１０８および１０９を含む、複数のセルに対応するコンテンツ、データ、情報および／または信号を通信可能な複数のセルラノードを含んでよい。例えば、ノード１０６は、第１のセル内の複数のユーザ機器（ＵＥ）デバイスと通信してよく、ノード１０８は、第２のセル内の複数のＵＥデバイスと通信してよく、および／またはノード１０９は第３のセル内の複数のＵＥデバイスと通信してよい。
【００２８】
いくつかの例示的な実施形態において、ノード１０６、１０８および／または１０９は、進化型ノードＢ（ｅＮＢ）を含んでよい。例えば、ノード１０６、１０８および／または１０９は、無線リソース管理（ＲＲＭ）、無線ベアラ制御、無線受付制御（アクセス制御）、接続モビリティ管理、アップリンクおよびダウンリンクの両方におけるリソースのＵＥへの動的割り当て等のＵＥとｅＮＢ無線との間のリソーススケジューリング、ヘッダ圧縮、ユーザデータストリームのリンク暗号化、別のｅＮＢまたは進化型パケットコア（ＥＰＣ）等の宛先に対してのユーザデータのパケットルーティング、着信呼び出しおよび／または接続要求等のページングメッセージのスケジューリングおよび／または送信、ブロードキャスト情報の調整、測定報告、および／または任意の他の動作を実行するよう構成されてよい。
【００２９】
他の実施形態において、ノード１０６、１０８および／または１０９は、任意の他の機能を含んでよく、および／または例えば、無線ネットワークコントローラ（ＲＮＣ）、ベースステーション（ＢＳ）等の任意の他のセルラノードの機能を実行してよい。
【００３０】
いくつかの例示的な実施形態において、ノード１０６、１０８および／または１０９は、１または複数のバックホールリンクを介して、ネットワーク１００の１または複数のセルラノードと通信してよい。例えば、ノード１０８はバックホールリンク（「バックホール接続」とも呼ばれる）１０５を介してノード１０６と通信してよく、および／またはノード１０９はバックホールリンク１０７を介してノード１０８と通信してよい。
【００３１】
例えば、後述のように、いくつかの例示的な実施形態において、ノード１０６、１０８および１０９は、Ｘ２アプリケーションプロトコル（Ｘ２ＡＰ）シグナリングプロトコルに従って、バックホールリンク１０５および１０７を介して通信してよい。他の実施形態において、ノード１０６、１０８および／または１０９は、任意の他のシグナリングプロトコルに従って、バックホールリンク１０５および／または１０７を介して通信してよい。
【００３２】
いくつかの例示的な実施形態において、バックホールリンク１０５および／または１０７は、無線リンクを含んでよい。他の実施形態において、バックホールリンク１０５および／または１０７は、有線リンク、ファイバリンク、または、有線リンク、ファイバリンクおよび／または無線リンクの任意の組み合わせを含んでよい。
【００３３】
いくつかの例示的な実施形態において、ノード１０６、１０８および／または１０９は、１または複数のバックホールリンク（「コアネットワークバックホール接続」とも呼ばれる）を介して、コアネットワーク（ＣＮ）１２０と通信してよい。例えば、ノード１０８は、バックホールリンク１２２を介して、ＣＮ１２０と通信してよく、ノード１０８は、バックホールリンク１２４を介して、ＣＮ１２０と通信してよく、および／またはノード１０９は、バックホールリンク１２６を介して、ＣＮ１２０と通信してよい。
【００３４】
例えば、後述のように、いくつかの例示的な実施形態において、ノード１０６、１０８および１０９は、Ｓ１アプリケーションプロトコル（Ｓ１ＡＰ）シグナリングプロトコルに従って、バックホールリンク１２２、１２４および／または１２６を介して、通信してよい。他の実施形態において、ノード１０６、１０８および／または１０９は、任意の他のシグナリングプロトコルに従って、バックホールリンク１２２、１２４および／または１３６を介して通信してよい。
【００３５】
図２を参照すると、いくつかの例示的な実施形態による、セルラノード２００が概略的に示されている。例えば、セルラノード２００は、ノード１０６（図１）、ノード１０８（図１）、および／またはノード１０９（図１）の機能を実行してよい。
【００３６】
いくつかの例示的な実施形態において、セルラノード２００は、例えば、セルラトランシーバ（ＴＲｘ）２０２等の１または複数のＵＥ２０１と通信するよう構成された無線インタフェースを含んでよい。
【００３７】
いくつかの例示的な実施形態において、ＵＥ２０１は、例えば、モバイルコンピュータ、ＭＤ、ＳＴＡ、ラップトップコンピュータ、ノートブックコンピュータ、タブレットコンピュータ、ウルトラブック（商標）コンピュータ、モバイルインターネットデバイス、ハンドヘルドコンピュータ、ハンドヘルドデバイス、ストレージデバイス、ＰＤＡデバイス、ハンドヘルドＰＤＡデバイス、オンボードデバイス、オフボードデバイス、ハイブリッドデバイス（例えば、セルラ電話の機能をＰＤＡデバイスの機能と組み合わせたもの）、コンシューマデバイス、車両用デバイス、非車両用デバイス、モバイルまたはポータブルデバイス、モバイル電話、セルラ電話、ＰＣＳデバイス、モバイルまたはポータブルＧＰＳデバイス、ＤＶＢデバイス、比較的小型のコンピューティングデバイス、非デスクトップコンピュータ、「Ｃａｒｒｙ  Ｓｍａｌｌ  Ｌｉｖｅ  Ｌａｒｇｅ」（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「オリガミ」デバイスまたはコンピューティングデバイス、ビデオデバイス、オーディオデバイス、Ａ／Ｖデバイス、ゲームデバイス、メディアプレーヤ、スマートフォンまたはそれらと同等のものを含んでよい。
【００３８】
いくつかの例示的な実施形態において、セルラＴＲｘ２０２は、無線通信信号、ＲＦ信号、フレーム、ブロック、送信ストリーム、パケット、メッセージ、データアイテム、および／またはデータを送信および／または受信可能な１または複数の無線トランスミッタ、レシーバおよび／またはトランシーバを含んでよい。
【００３９】
いくつかの例示的な実施形態において、セルラＴＲｘ２０２は、所望の場合にアンテナビーム形成方法を実行可能な複数の多入力多出力（ＭＩＭＯ）のトランスミッタレシーバシステム（不図示）を含んでよい。他の実施形態において、セルラＴＲｘ２０２は任意の他のトランスミッタおよび／またはレシーバを含んでよい。
【００４０】
いくつかの例示的な実施形態において、セルラＴＲｘ２０２は、例えばノード２００とＵＥとの間のダウンリンクチャネルを介してダウンリンク信号を、例えば、ＵＥとノード２００との間のアップリンクチャネルを介してアップリンク信号を通信するよう構成されたＬＴＥ、ＷＣＤＭＡ（登録商標）および／またはＴＤ‐ＳＣＤＭＡ変調器および／または復調器（不図示）を含んでよい。他の実施形態において、セルラＴＲｘ２０２は任意の他の変調器および／または復調器を含んでよい。
【００４１】
いくつかの例示的な実施形態において、セルラＴＲｘ２０２は、所望の場合にデータビットをデータ記号へとエンコーディングおよび／またはデコーディングするためのターボデコーダおよび／またはターボエンコーダ（不図示）を含んでよい。いくつかの例示的な実施形態において、セルラＴＲｘ２０２は、ダウンリンク（ＤＬ）チャネルを介してＯＦＤＭ信号を、および／またはアップリンク（ＵＬ）チャネルを介してＳＣ‐ＦＤＭＡ信号を通信するよう構成されたＯＦＤＭおよび／またはＳＣ‐ＦＤＭＡ変調器および／または復調器（不図示）を含んでよい。
【００４２】
いくつかの例示的な実施形態において、ノード２００は、１または複数のアンテナを含んでよく、またはそれらに関連付けられてよい。一例において、ノード２００は、例えばアンテナ２０８および２１０等の少なくとも２つのアンテナに関連付けられてよい。別の例において、ノード２００は１つのアンテナまたは２つより多いアンテナに関連付けられてよい。
【００４３】
いくつかの例示的な実施形態において、アンテナ２０８および／または２１０は、無線通信信号、ブロック、フレーム、送信ストリーム、パケット、メッセージ、および／またはデータを送信および／または受信するのに好適な任意のタイプのアンテナを含んでよい。例えば、アンテナ２０８および／または２１０は、１または複数のアンテナ要素、コンポーネント、ユニット、アセンブリおよび／またはアレイから成る任意の好適な構成、構造、および／または配置を含んでよい。例えば、アンテナ２０８および／または２１０は、フェーズドアレイアンテナ、ダイポールアンテナ、単一要素アンテナ、ビーム切り替えアンテナのセット等を含んでよい。
【００４４】
いくつかの実施形態において、アンテナ２０８および／または２１０は、別個の送信および受信アンテナ要素を使用して、送信および受信機能を実装してよい。いくつかの実施形態において、アンテナ２０８および／または２１０は、共通のおよび／または統合された送信／受信要素を使用して、送信および受信機能を実装してよい。
【００４５】
いくつかの例示的な実施形態において、ノード２００は、バックホールリンクを介して、ノード２００と１または複数の他のノードとの間で通信するためのバックホールインタフェース２３０を含んでよい。例えば、バックホールインタフェース２３０は、ノード１０６（図１）とノード１０８（図１）との間で、例えば、バックホールリンク１０５（図１）を介して通信してよい。
【００４６】
いくつかの例示的な実施形態において、バックホールインタフェース２３０はＸ２インタフェースを含んでよい。例えば、ノード２００は第１のｅＮＢであってよく、バックホールインタフェース２３０は、例えば、Ｘ２ＡＰに従い、少なくとも１つの第２のｅＮＢと通信するためのＸ２インタフェースを含んでよい。他の実施形態において、バックホールインタフェース２３０は、任意の他のインタフェースを含んでよい。
【００４７】
いくつかの例示的な実施形態において、ノード２００は、例えば、１または複数のコアネットワークバックホール接続を介して、ノード２００とコアネットワークの１または複数の要素との間で、通信するためのコアネットワークインタフェース２５２を含んでよい。一例において、ノード２００はノード１０６（図１）の機能を実行してよく、コアネットワークインタフェース２５２は、例えば、バックホールリンク１２２（図１）を介して、ノード１０６（図１）とＣＮ１２０（図１）との間で通信してよい。別の例において、ノード２００はノード１０８（図１）の機能を実行してよく、コアネットワークインタフェース２５２は、例えば、バックホールリンク１２４（図１）を介して、ノード１０８（図１）とＣＮ１２０（図１）との間で通信してよい。別の例において、ノード２００はノード１０９（図１）の機能を実行してよく、コアネットワークインタフェース２５２は、例えば、バックホールリンク１２６（図１）を介して、ノード１０９（図１）とＣＮ１２０（図１）との間で通信してよい。
【００４８】
いくつかの例示的な実施形態において、コアネットワークインタフェース２５２は、例えば、Ｓ１ＡＰに従って通信するためのＳ１インタフェースを含んでよい。例えば、ノード２００はｅＮＢであってよく、コアネットワークインタフェース２５２は、Ｓ１接続を介して、コアネットワーク１２０（図１）と通信するためのＳ１インタフェースを含んでよい。他の実施形態において、コアネットワークインタフェース２５２は、任意の他のインタフェースを含んでよい。
【００４９】
例えば、後述のように、いくつかの例示的な実施形態において、ノード２００は、ノード２００の１または複数の機能を制御し、および／またはノード２００によって実行される１または複数の通信を制御する（例えば、ノード１０６、１０８および／または１０８（図１）間の通信を制御し、ノード２００とコアネットワーク１２０（図１）との間の通信を制御し、および／またはノード２００と１または複数の他のネットワーク要素との間の通信を制御する）ためのコントローラ２４０を含んでよい。
【００５０】
いくつかの例示的な実施形態において、コントローラ２４０は、回路および／またはロジックを含んでよく、または回路および／またはロジックを使用して実装されてよい。例えば、コントローラ２４０は、コントローラ回路および／またはロジック、回路、メモリ回路を含む１または複数のプロセッサ、並びに／またはコントローラ２４０の機能の少なくとも一部を実行するよう構成され得る任意の他の回路を使用して実装されてよい。例えば、後述のように、追加的または代替的に、コントローラ２４０の１または複数の機能は、機械、および／または、１または複数のプロセッサによって実行可能なロジックによって実装されてよい。
【００５１】
いくつかの例示的な実施形態において、ノード２００は、ノード２００によって通信される１または複数のメッセージを生成、処理および／または当該メッセージにアクセスするよう構成されたメッセージプロセッサ２５０を含んでよい。
【００５２】
例えば、後述のように、一例において、メッセージプロセッサ２５０は、ノード２００によって送信されることになる１または複数のメッセージを生成するよう構成されてよく、および／またはメッセージプロセッサ２５０は、ノード２００によって受信される１または複数のメッセージにアクセスおよび／または当該メッセージを処理するよう構成されてよい。
【００５３】
いくつかの例示的な実施形態において、メッセージプロセッサ２５０は、例えば、回路、メモリ回路、メディアアクセス制御（ＭＡＣ）回路、物理レイヤ（ＰＨＹ）回路、および／またはメッセージプロセッサ２５０の機能を実行するよう構成された任意の他の回路を含む１または複数のプロセッサ等の回路および／またはロジックを含んでよい。例えば、後述のように、追加的または代替的に、メッセージプロセッサ２５０の１または複数の機能は、機械、および／または、１または複数のプロセッサによって実行可能なロジックによって実装されてよい。
【００５４】
いくつかの例示的な実施形態において、メッセージプロセッサ２５０の機能のうちの少なくとも一部は、セルラトランシーバ２０２の一部として実装されてよく、および／またはメッセージプロセッサ２５０の機能のうちの少なくとも一部は、コントローラ２４０の一部として実装されてよい。
【００５５】
他の実施形態において、メッセージプロセッサ２５０の機能は、ノード２００の任意の他の要素の一部として実装されてよい。
【００５６】
いくつかの例示的な実施形態において、セルラノード２００は、例えば、１または複数のプロセッサ２２０、メモリユニット２２２、ストレージユニット２２４を含んでよい。一例において、プロセッサ２２０、メモリ２２２および／またはストレージ２２４のうちの１または複数は、トランシーバ２０２、および／またはコントローラ２４０とは別個の１または複数の要素として実装されてよい。別の例において、プロセッサ２２０、メモリ２２２および／またはストレージ２２４のうちの１または複数は、トランシーバ２０２、および／またはコントローラ２４０の一部として実装されてよい。
【００５７】
プロセッサ２２０は、例えば、中央処理装置（ＣＰＵ）、デジタル信号プロセッサ（ＤＳＰ）、１または複数のプロセッサコア、シングルコアプロセッサ、デュアルコアプロセッサ、マルチプルコアプロセッサ、マイクロプロセッサ、ホストプロセッサ、コントローラ、複数のプロセッサ若しくはコントローラ、チップ、マイクロチップ、１または複数の回路、回路、ロジックユニット、集積回路（ＩＣ）、特定用途向け集積回路（ＡＳＩＣ）、または任意の他の好適な多目的若しくは特定のプロセッサ若しくはコントローラを含む。プロセッサ２２０は、例えば、ノード２００のオペレーティングシステム（ＯＳ）、および／または、１または複数の好適なアプリケーションの複数の命令を実行する。
【００５８】
メモリユニット２２２は、例えば、ランダムアクセスメモリ（ＲＡＭ）、リードオンリメモリ（ＲＯＭ）、ダイナミックＲＡＭ（ＤＲＡＭ）、シンクロナスＤＲＡＭ（ＳＤ‐ＲＡＭ）、フラッシュメモリ、揮発性メモリ、不揮発性メモリ、キャッシュメモリ、バッファ、短期メモリユニット、長期メモリユニット、または他の好適なメモリユニットを含む。ストレージユニット２２４は、例えば、ハードディスクドライブ、フロッピー（登録商標）ディスクドライブ、コンパクトディスク（ＣＤ）ドライブ、ＣＤ‐ＲＯＭドライブ、ＤＶＤドライブ、または他の好適な取り外し可能若しくは取り外し不可能なストレージユニットを含む。メモリユニット２２２および／またはストレージユニット２２４は、例えば、ノード２００によって処理されるデータを格納してよい。
【００５９】
図１のＡの参照に戻ると、いくつかの状況において、コアネットワーク１２０と、例えば、セルラノード１０６および／またはセルラノード１０８等の少なくとも１つのセルラノード（「切断されたノード」）との間の少なくとも１つのバックホール接続（「切断された接続」）は、例えば、故障、妨害、災害、または任意の他の理由に起因して切断されてよい。
【００６０】
例えば、図１のＡに示される通り、ノード１０８とＣＮ１２０との間の接続１２４は切断されてよく、および／またはノード１０９とＣＮ１２０との間の接続１２６は切断されてよい。
【００６１】
いくつかの例示的な実施形態において、切断されたノードは依然として、例えば、Ｘ２接続を介して、少なくとも１つの他のセルラノードへのバックホール接続性を有してよい。例えば、ノード１０８はバックホール接続１０５を介してノード１０６への、および／または１または複数の他のバックホール接続を介して、１または複数の他のノードへの接続性を依然として保持可能であってよく、並びに／またはノード１０９はバックホール接続１０７を介してノード１０８への、および／または１または複数の他のバックホール接続を介して１または複数の他のノードへの接続性を保持可能であってよい。
【００６２】
いくつかの例示的な実施形態において、システム１００の少なくとも１つのセルラノード（「接続されたノード」）は依然としてＣＮ１２０への接続性を有してよい。例えば、図１のＡに示される通り、ノード１０６は依然として、バックホール接続１２２を介してコアネットワーク１２０に接続されてよい。
【００６３】
例えば、後述のように、いくつかの例示的な実施形態において、ノード１０６、１０８および／または１０９等のシステム１００のノードは、少なくとも１つの切断されたノードが、コアネットワーク１２０へのバックホール接続性を依然として有する少なくとも１つの接続されたノードを検出できるように構成されてよい。
【００６４】
例えば、後述のように、いくつかの例示的な実施形態において、例えば、ノード１０６、１０８および／または１０９等のシステム１００のノードは、例えば、切断されたノードとコアネットワーク１２０との間の新しいルーティングを介して、新しい接続（「新しいコアネットワーク接続」または「再確立されたコアネットワーク接続」）を確立できるよう構成されてよい。
【００６５】
例えば、後述のように、いくつかの例示的な実施形態において、新しいコアネットワーク接続は、少なくとも１つの接続されたノードから切断されたノードへと提供される情報に基づいて、切断されたノードとコアネットワーク１２０との間で確立されてよい。
【００６６】
後述のように、いくつかの例示的な実施形態において、新しいコアネットワーク接続は、Ｓ１接続（「再構成されたＳ１接続または再確立されたＳ１接続」）の形態で、切断されたｅＮＢとコアネットワーク１２０との間で、例えば、コアネットワーク１２０に依然として接続されているｅＮＢを介して確立されてよい。
【００６７】
例えば、後述のように、いくつかの例示的な実施形態において、新しいコアネットワーク接続は、トランスポートレイヤにおいて確立され、およびルーティングされてよい。
【００６８】
例えば、後述のように、いくつかの例示的な実施形態において、新しいコアネットワーク接続は、例えば、Ｘ２レイヤ等の３ＧＰＰレイヤにおいて確立され、およびルーティングされてよい。
【００６９】
例えば、後述のように、いくつかの例示的な実施形態において、例えば、システム１００のトランスポートネットワークが依然としてコアネットワーク１２０にインターネットプロトコル（ＩＰ）パケットをルーティング可能な場合、新しいコアネットワーク接続は、切断されたノードによってコアネットワーク１２０と確立されてよい。
【００７０】
例えば、後述のように、いくつかの例示的な実施形態において、例えば、システム１００のトランスポートネットワークがコアネットワーク１２０にＩＰパケットをルーティング不可能な場合であってさえ、新しいコアネットワーク接続は、切断されたノードとコアネットワーク１２０との間で確立されてよい。
【００７１】
例えば、後述のように、いくつかの例示的な実施形態において、新しいコアネットワーク接続は、接続されたノードを介して、切断されたノードとコアネットワーク１２０との間で確立されてよい。
【００７２】
例えば、後述のように、いくつかの例示的な実施形態において、例えば、Ｘ２接続１０５を介してノード１０６と１０８との間で通信可能なＸ２ＡＰメッセージ内にＳ１接続のＳ１ＡＰメッセージをカプセル化することによって、およびノード１０６とコアネットワーク１２０のＭＭＥとの間のトランスポートレイヤ接続を介して、Ｓ１接続のＳ１ＡＰメッセージを通信することによって、ノード１０６は、ノード１０８とコアネットワークとの間のＳ１接続を有効にしてよい。
【００７３】
例えば、後述のように、いくつかの例示的な実施形態において、例えばノード１０６がコアネットワーク１０８のＭＭＥであるかのようにノード１０８と通信することによって、例えばノード１０６とノード１０８との間にＳ１接続を確立することによって、および、ノード１０６がノード１０８であるかのように例えばノード１０６とコアネットワーク１２０内のＭＭＥとの間のトランスポートレイヤ接続を介してコアネットワーク１２０内のＭＭＥと通信することによって、ノード１０６は、ノード１０８とコアネットワークとの間のＳ１接続を有効にしてよい。
【００７４】
また図１のＢを参照すると、いくつかの例示的な実施形態による、コアネットワーク１２０からのセルラノード１０８と１０９との切断後、セルラノード１０８および１０９と、コアネットワーク１２０との間に確立された接続が概略的に示されている。
【００７５】
いくつかの例示的な実施形態において、図１のＢに示される通り、ノード１０８は、例えばノード１０６を介して、コアネットワーク１２０へのＳ１接続１３０を確立してよい。例えば、後述のように、一例において、Ｓ１接続１３０は、ノード１０６とノード１０８との間の接続１０５を介して、およびノード１０６とコアネットワーク１２０との間の接続１２２を介して確立されてよい。
【００７６】
例えば、後述のように、いくつかの例示的な実施形態において、図１のＢに示される通り、代替的にノード１０８は、例えば新しいＭＭＥおよび／または新しいＩＰアドレスを使用する同一のＭＭＥまでのコアネットワーク１２０への新しいＳ１接続１３９を確立してよい。
【００７７】
いくつかの例示的な実施形態において、図１のＢに示される通り、ノード１０９は、例えばノード１０６を介してコアネットワーク１２０へのＳ１接続１３２を確立してよい。例えば、後述のように、一例において、Ｓ１接続１３２は、ノード１０９とノード１０８との間の接続１０７を介して、ノード１０６とノード１０８との間の接続１０５を介して、およびノード１０６とコアネットワーク１２０との間の接続１２２を介して確立されてよい。
【００７８】
いくつかの例示的な実施形態において、ノード１０８とコアネットワーク１２０との間の接続１３０および／またはノード１０９とコアネットワーク１２０との間の接続１３２を確立することによって、例えば、切断されたｅＮＢによって制御される進化型ＵＭＴＳ地上無線アクセスネットワーク（Ｅ‐ＵＴＲＡＮ）内の重要な、優先度の高いおよび／またはクリティカルな通信を有効にすべく、切断されたノードをコアネットワークへ、例えば短時間で再接続するための効率的な解決手段を提供することを可能にし得る。当該解決手段は、例えば、セットアップに数時間要する可能性のある、移動可能なバックアップ進化型パケットコア（ＥＰＣ）サーバを切断されたｅＮＢの位置へ移動させる解決手段に比べ、有益であろう。例えば、災害シナリオ等の多くのシナリオにおいて、最初の数時間内で危急の（ｃｒｉｔｉｃａｌ）通信ができることは極めて重要である。
【００７９】
いくつかの例示的な実施形態において、コアネットワーク１２０へのバックホール接続性を依然として有する接続されたノードは、コアネットワーク１２０へのバックホール接続性を失ってしまった１または複数の切断されたノードが存在し得ることを認識していなくてよい。従って、接続されたノードは、切断されたノードに対し、接続されたノードがコアネットワーク１２０への接続性を提供するのに使用可能であることを「積極的に」通知できなくてよい。
【００８０】
例えば、後述のように、いくつかの例示的な実施形態において、他のノードがコアネットワーク１２０への接続性を依然として有するかどうかを検出すべく、ノード１０８は、例えば、ノード１０６および／またはノード１０９等の１または複数の隣接するノードといった、１または複数の他のノードにクエリするよう構成されてよい。
【００８１】
いくつかの例示的な実施形態において、例えば、ノード１０８が、コアネットワーク１２０への接続性の損失を検出した場合、すなわち例えば、コアネットワーク１２０へのＳ１接続のために使用可能なストリーム制御通信プロトコル（ＳＣＴＰ）接続が失敗した場合、ノード１０８は、１または複数の他のノードにコアネットワーク１２０への接続性に関しクエリするよう構成されてよい。
【００８２】
例えば、後述のように、いくつかの例示的な実施形態において、ノード１０６、１０８および／または１０９等のシステム１００のノードは、切断されたノードが、利用可能なネットワーク接続性について、１または複数の他のノードにクエリすることを可能にすべく、および／または１または複数の接続されたノードが、切断されたノードに対し、コアネットワーク１２０への接続に関する１または複数の利用可能なオプションを通知すべく、例えば、コアネットワークノード検出要求等の要求メッセージ、および例えば、コアネットワークノード検出応答等の応答メッセージを通信するよう構成されてよい。
【００８３】
いくつかの例示的な実施形態において、ノード１０８のコントローラ２４０（図１）は、コアネットワークノード検出要求を含む第１のメッセージをノード１０６に送信してよい。例えば、ノード１０８のコントローラ２４０（図２）は、ノード１０８のメッセージプロセッサ２５０（図２）に対し、第１のメッセージを生成させ、ノード１０８のコントローラ２４０（図２）は、ノード１０８のＸ２インタフェース２３０（図２）に対し、第１のメッセージを例えばＸ２接続１０５を介してノード１０６に送信させてよい。
【００８４】
いくつかの例示的な実施形態において、ノード１０６のコントローラ２４０（図２）は、ノード１０８から、コアネットワークノード検出要求を含む第１のメッセージを受信してよく、ノード１０６のコントローラ２４０（図２）は、ノード１０８に、例えば、コアネットワークノードを表わすコアネットワークノード識別子を含む第２のメッセージ等の応答を送信してよい。例えば、ノード１０６のコントローラ２４０（図２）は、ノード１０６のメッセージプロセッサ２５０（図２）に対し、第２のメッセージを生成させ、ノード１０６のコントローラ２４０（図２）は、ノード１０６のＸ２インタフェース２３０（図２）に対し、第２のメッセージを例えばＸ２接続１０５を介して、ノード１０８に送信させてよい。
【００８５】
いくつかの例示的な実施形態において、コアネットワーク識別子は、例えば、コアネットワーク１２０のＭＭＥを識別するよう構成されたＭＭＥ識別子を含んでよい。
【００８６】
いくつかの例示的な実施形態において、ＭＭＥ識別子は、ＭＭＥのインターネットプロトコル（ＩＰ）アドレスを含んでよい。他の実施形態において、ＭＭＥ識別子は、例えば、グローバル一意ＭＭＥ識別子（ＧＵＭＭＥＩ）、および／または任意の他のアドレス若しくは識別子を含んでよい。
【００８７】
いくつかの例示的な実施形態において、ノード１０６のコントローラ２４０（図２）はその応答において、ノード１０６が接続され得るＭＭＥのコアネットワーク識別子、および／または例えば接続に利用可能であり得るコアネットワーク１２０の別のＭＭＥを含んでよい。
【００８８】
いくつかの例示的な実施形態において、例えば、ノード１０６のコントローラ２４０（図２）が、コアネットワーク１２０内の複数のＭＭＥへの潜在的な接続性を有する場合、ノード１０６のコントローラ２４０（図２）はその応答において、複数のコアネットワーク識別子を含んでよい。
【００８９】
例えば、後述のように、いくつかの例示的な実施形態において、ノード１０８のコントローラ２４０（図２）は、コアネットワークノード識別子を含む第２のメッセージを受信してよく、コアネットワークノード識別子を使用して、ノード１０８とコアネットワーク１２０との間にＳ１接続を確立してよい。
【００９０】
いくつかの例示的な実施形態において、ノード１０８のコントローラ２４０（図２）は、第１のメッセージを例えば、ノード１０６および１または複数の他のノードといった複数のノードに送信し、例えば、当該複数のノードにコアネットワーク接続性についてクエリしてよい。
【００９１】
いくつかの例示的な実施形態において、ノード１０８のコントローラ２４０（図２）は、第１のメッセージを、例えばノード１０８に接続され得る１または複数のノードに、例えばノード１０６、ノード１０９、およびノード１１９に送信してよい。
【００９２】
いくつかの例示的な実施形態において、ノード１０８のコントローラ２４０（図２）は、コアネットワークノード検出要求に応じて、１または複数のメッセージを受信してよい。
【００９３】
一例において、ノード１０８のコントローラ２４０（図２）は、例えば、コアネットワーク１２０への接続性を依然として有し得るノード１０６等のノードからコアネットワークノード検出要求への応答を受信してよい一方で、例えば、ノード１０９および／またはノード１１９等のコアネットワーク１２０への接続性を有していないノードからは、応答は受信されなくてよい。
【００９４】
いくつかの例示的な実施形態において、ノード１０８は、２または２より多いノードから、２または２より多いコアネットワークノード検出応答を受信してよい。２または２より多いコアネットワークノード検出応答は、複数のコアネットワークノード識別子を含んでよい。
【００９５】
いくつかの例示的な実施形態において、ノード１０８のコントローラ２４０（図２）は、複数のコアネットワークノード識別子からコアネットワーク識別子（「選択されたコアネットワーク識別子」）を選択してよく、選択されたコアネットワークノード識別子を使用して、コアネットワーク１２０とのＳ１接続を確立してよい。
【００９６】
いくつかの例示的な実施形態において、ノード１０８のコントローラ２４０（図２）は、選択されたコアネットワーク識別子を、例えば、複数のコアネットワークノード識別子によって識別されたコアネットワークノードの地理的位置、複数のコアネットワークノード識別子の追跡エリア、および／または任意の他の基準に基づいて判断してよい。
【００９７】
いくつかの例示的な実施形態において、コアネットワークノード検出要求は、専用のＸ２ＡＰバックホール接続性要求の形態で通信されてよく、および／またはコアネットワークノード検出応答は、専用のＸ２ＡＰバックホール接続性応答の形態で通信されてよい。Ｘ２ＡＰバックホール接続性応答は、例えば、ＭＭＥ  ＩＰアドレスおよびオプションで追加の情報を含んでよい。
【００９８】
一例において、Ｘ２ＡＰバックホール接続性要求は、例えば、バックホール接続性検出を開始すべく、ｅＮＢ１として示される第１のｅＮＢから、ｅＮＢ２として示される例えば隣接するｅＮＢ等の第２のｅＮＢへと送信されるメッセージを含んでよい。例えば、Ｘ２ＡＰバックホール接続性要求は、以下のメッセージを含んでよい。
【表１】
0006339217.tif 000002
【００９９】
一例において、Ｘ２ＡＰバックホール接続性応答は、例えば、ｅＮＢ２がＳ１接続性を有することを示すためのｅＮＢ２から送信されたメッセージを含んでよい。例えば、Ｘ２ＡＰバックホール接続性応答は、以下のメッセージを含んでよい。
【表２】
0006339217.tif 000003
【０１００】
例えば、後述のように、いくつかの例示的な実施形態において、例えば、ノード１０８等の切断されたノードは、コアネットワーク１２０内のＭＭＥと直接的にＳ１接続を確立すべく、コアネットワークノード識別子を使用してよい。
【０１０１】
いくつかの例示的な実施形態において、例えば、ノード１０８等の切断されたノードは、コアネットワーク１２０への接続性を失ってしまった可能性があるものの、トランスポートネットワークは依然として、ＩＰパケットを、例えば、新しいＭＭＥのＩＰアドレスまたはノード１０８が前に接続されていたＭＭＥ等の「古い」ＭＭＥの新しいＩＰアドレスといった、コアネットワーク識別子によって識別されるＩＰアドレス（「新しいＩＰアドレス」）にルーティングできてよい。
【０１０２】
いくつかの例示的な実施形態において、そのようなシナリオでは、例えば、ノード１０８等の切断されたノードは、例えば、ノード１０６から受信されるようなコアネットワークノード検出応答によって示されるような新しいＩＰアドレスを使用して、新しいＭＭＥまたは古いＭＭＥとのＳ１接続をセットアップできてよい。
【０１０３】
いくつかの例示的な実施形態において、例えば、ノード１０８等の第１のｅＮＢ（「ｅＮＢ１」）は、コアネットワーク１２０内のＭＭＥ（「古いＭＭＥ」）への接続を失ってよい。例えば、上述のように、例えばノード１０８等のｅＮＢ１は、例えば、１または複数のコアネットワークノード検出要求を送信することによって、１または複数の隣接するｅＮＢに対し、コアネットワーク１２０内で依然としてアクセス可能なＭＭＥのＩＰアドレスを提供するよう要求してよい。
【０１０４】
いくつかの例示的な実施形態において、ｅＮＢ１は、例えば、第２のｅＮＢ（「ｅＮＢ２」）等の隣接するｅＮＢのうちの１または複数から、１または複数のコアネットワークノード検出応答を受信してよい。例えば、上述のように、１または複数のコアネットワークノード検出応答は、１または複数のＭＭＥ  ＩＰアドレスを含んでよい。
【０１０５】
いくつかの例示的な実施形態において、ｅＮＢ  １は、コアネットワーク１２０へのＳ１接続性を再確立するために使用するＭＭＥアドレスを選択してよい。例えば、複数のＭＭＥアドレスが受信される場合、ｅＮＢ  １は、複数のＭＭＥアドレスから一のＭＭＥアドレスを選択することによって、選択されたＭＭＥアドレスを判断してよい。代替的に、１つのＭＭＥアドレスのみが受信される場合、ｅＮＢ  １は受信されたＭＭＥアドレスを含む選択されたＭＭＥアドレスを判断してよい。
【０１０６】
いくつかの例示的な実施形態において、ｅＮＢ  １は選択されたＭＭＥと、例えば、ＳＣＴＰ接続等のトランスポートレイヤ接続を確立してよい。
【０１０７】
いくつかの例示的な実施形態において、ｅＮＢ  １は、例えば、トランスポートレイヤ接続を介して、選択されたＭＭＥとのＳ１接続を初期化してよい。
【０１０８】
例えば、後述の通り、いくつかの例示的な実施形態において、例えば、ノード１０８等の切断されたノードとコアネットワーク１２０との間のＳ１接続は、コアネットワーク１２０への接続性を依然として有し得る、例えばノード１０６等の第２のｅＮＢを介して確立されてよい。
【０１０９】
例えは、後述のように、いくつかの例示的な実施形態において、ノード１０６、１０８および／または１０９等のシステム１００のノードは、Ｘ２ＡＰパケット内にＳ１接続のＳ１ＡＰパケットをカプセル化するよう構成されてよい。
【０１１０】
いくつかの例示的な実施形態において、例えば、トランスポートネットワークがＩＰパケットをコアネットワーク１２０内の新しいＭＭＥにルーティングできない可能性のあるシナリオにおいてさえ、Ｘ２ＡＰパケット内のＳ１ＡＰパケットをカプセル化することによって、切断されたノードとコアネットワーク１２０との間のＳ１接続を確立することを可能にしてよい。
【０１１１】
いくつかの例示的な実施形態において、Ｓ１接続は、例えばノード１０８等の第１のｅＮＢ（ｅＮＢ１）と、例えば、コアネットワーク１２０等のコアネットワーク内のＭＭＥとの間で、例えばノード１０６等の第２のｅＮＢ（ｅＮＢ２）を介して確立されてよい。
【０１１２】
例えば、後述のように、いくつかの例示的な実施形態において、例えば、ノード１０８および１０６等の第１および第２のｅＮＢは、Ｓ１接続のＳ１ＡＰメッセージをカプセル化するＸ２ＡＰメッセージを通信してよく、例えば、ノード１０６等の第２のｅＮＢは、第２のｅＮＢとＭＭＥとの間のトランスポートレイヤを介してＳ１ＡＰメッセージをＭＭＥと通信してよい。
【０１１３】
いくつかの例示的な実施形態において、ノード１０８は、例えば、Ｓ１接続をセットアップするためのＳ１ＡＰセットアップメッセージをカプセル化するＸ２ＡＰ転送メッセージ等のＸ２ＡＰメッセージをノード１０６に送信してよい。例えば、ノード１０８のコントローラ２４０（図２）は、ノード１０８のメッセージプロセッサ２５０（図２）に対し、例えば、ＭＭＥ  ＩＰアドレス等のＭＭＥを識別するための例えばＭＭＥ識別子等のコアネットワーク識別子によって識別されたコアネットワークノードとのＳ１接続をセットアップすることを要求するためのＳ１ＡＰセットアップメッセージを例えば、Ｘ２ＡＰ転送メッセージ等のＸ２ＡＰメッセージ内にカプセル化させてよい。
【０１１４】
一例において、Ｘ２ＡＰ転送メッセージは、第１のｅＮＢから第２のｅＮＢへと送信される、カプセル化されたＳ１ＡＰ  ＰＰＤＵを搬送するメッセージを含んでよい。例えば、Ｘ２ＡＰ転送メッセージは、以下のメッセージを含んでよい。
【表３】
0006339217.tif 000004
【０１１５】
例えば、後述のように、いくつかの例示的な実施形態において、ノード１０６のコントローラ２４０（図２）は、Ｓ１ＡＰセットアップメッセージによって要求されたＳ１接続をノード１０６とネットワークノードとの間のトランスポートレイヤ接続にマッピングしてよい。
【０１１６】
いくつかの例示的な実施形態において、ノード１０６のコントローラ２４０（図２）は、例えば、新しいＳＣＴＰ接続等の新しいトランスポートレイヤ接続を、ノード１０８からのＸ２ＡＰメッセージ内のＭＭＥ識別子によって示されるＭＭＥに対し確立してよい。ノード１０６のコントローラ２４０（図２）は、新しいＳＣＴＰ接続とノード１０８との間のマッピングを保持してよい。
【０１１７】
いくつかの例示的な実施形態において、ノード１０６のコントローラ２４０（図２）は、例えば、ノード１０８等のｅＮＢに専用のＳＣＴＰ接続を確立してよい。
【０１１８】
いくつかの例示的な実施形態において、ノード１０６のコントローラ２４０（図２）は、ＭＭＥへのＳＣＴＰ接続と、例えばコアネットワーク１２０へのバックホール接続性のためにノード１０６を使用する各ｅＮＢのｅＮＢ識別子との間の１対１のマッピングを保持してよい。
【０１１９】
いくつかの例示的な実施形態において、ノード１０６のコントローラ２４０（図２）は、複数のｅＮＢとコアネットワークノードとの間で通信するためのＳＣＴＰ接続を確立してよい。
【０１２０】
いくつかの例示的な実施形態において、例えば、ノード１０６とＭＭＥとの間の新しいＳＣＴＰ接続を確立する代わりに（例えば、各ｅＮＢはバックホール接続性のためにノード１０６を使用している）、例えば、Ｓ１ＡＰメッセージが、Ｓ１接続の一部であり得る、例えばノード１０８等のｅＮＢのｅＮＢ識別子を搬送し得るよう、Ｓ１ＡＰが強化されてよい。パケットを適切なｅＮＢにルーティングすべく、ｅＮＢ識別子は、ノード１０６によって使用されてよい。
【０１２１】
いくつかの例示的な実施形態において、ノード１０８のコントローラ２４０（図２）は、ノード１０８のメッセージプロセッサ２５０（図２）に対し、Ｓ１接続を介してＭＭＥに送信されることになるＳ１ＡＰメッセージを例えば、Ｘ２ＡＰ転送メッセージ等のＸ２ＡＰメッセージ内にカプセル化させてよい。Ｘ２ＡＰメッセージはまた、例えば、ＭＭＥのＩＰアドレスまたはＧＵＭＭＥＩ等のＭＭＥのコアネットワーク識別子を含んでよい。ノード１０８のコントローラ２４０（図２）は、例えば、Ｘ２接続１０５を介して、Ｘ２ＡＰメッセージをノード１０６に送信してよい。
【０１２２】
この例によると、ノード１０６のコントローラ２４０（図２）はＸ２ＡＰメッセージを受信してよく、Ｘ２ＡＰメッセージからＳ１ＡＰメッセージを抽出してよく、Ｓ１ＡＰメッセージをＭＭＥに、例えば、Ｘ２ＡＰメッセージ内に含まれるコアネットワーク識別子に従いルーティングしてよい。
【０１２３】
いくつかの例示的な実施形態において、ノード１０６のコントローラ２４０（図２）は、ＭＭＥから、例えばｅＮＢ１０８等の１または複数の他のｅＮＢにルーティングされることになるＳ１ＡＰメッセージを受信してよい。ノード１０６のコントローラ２４０（図２）は、例えば、ｅＮＢとＳＣＴＰ接続との間のマッピングに従い、例えば、Ｓ１ＡＰメッセージを受信するために使用されるＳＣＴＰ接続に基づいて、ＭＭＥから受信されたＳ１ＡＰメッセージを、例えばノード１０８等の適切なｅＮＢにルーティングしてよい。例えば、ノード１０６のコントローラ２４０（図２）は、例えば、Ｘ２接続１０５を介して、ノード１０８に送信され得るＸ２ＡＰ転送メッセージ内にＭＭＥからノード１０８にルーティングされることになるＳ１ＡＰメッセージをカプセル化してよい。
【０１２４】
例えば、上述のように、一例において、ノード１０８は古いＭＭＥへの接続を失ってよく、例えば、１または複数のコアネットワークノード検出要求を送信することによって、１または複数の隣接するｅＮＢに対し、コアネットワーク１２０内で依然としてアクセス可能なＭＭＥのＩＰアドレスまたはＧＵＭＭＥＩを提供するよう要求してよい。
【０１２５】
例えば、上述のように、この例によると、ノード１０８は、例えば、ノード１０６等の隣接するｅＮＢのうちの１または複数のから、１または複数のコアネットワークノード検出応答を受信してよい。
【０１２６】
例えば、上述のように、この例によると、ノード１０８は、コアネットワーク１２０へのＳ１接続性を再確立するために使用するＭＭＥアドレスを選択してよい。例えば、選択されたＭＭＥアドレスは、ノード１０６から受信されるＭＭＥアドレスを含んでよい。
【０１２７】
この例によると、ノード１０８は、例えばＳＣＴＰ接続等のトランスポートレイヤ接続を選択されたＭＭＥと確立してよい。
【０１２８】
この例によると、ノード１０８は、Ｘ２ＡＰ転送メッセージ内にカプセル化されたＳ１ＡＰセットアップメッセージをノード１０６に送信してよい。Ｓ１ＡＰセットアップメッセージは、選択されたＭＭＥの例えば、ＭＭＥ  ＩＰアドレス等のＭＭＥ識別子を含んでよい。
【０１２９】
この例によると、ノード１０６は、Ｘ２ＡＰメッセージ内のＭＭＥ識別子によって示されるＭＭＥに対し、新しいＳＣＴＰ接続を確立してよい。例えば、上述のように、ノード１０６は、ＳＣＴＰ接続とノード１０８との間のマッピングを記憶してよい。
【０１３０】
この例によると、各パケットノード１０８は新しいＭＭＥにノード１０６を介して送信するので、ノード１０８は、Ｓ１ＡＰメッセージを、ＭＭＥ識別子を搬送するＸ２ＡＰ転送メッセージ内にカプセル化してよく、Ｘ２ＡＰ転送メッセージをノード１０６に送信してよい。
【０１３１】
この例によると、ノード１０６は、カプセル化されたＳ１ＡＰメッセージを抽出し、Ｓ１ＡＰメッセージをＸ２ＡＰ転送メッセージ内のＭＭＥ識別子で示されるＭＭＥに転送してよい。
【０１３２】
例えば、後述のように、いくつかの例示的な実施形態において、切断されたノードとコアネットワークとの間のＳ１接続は、切断されたノードと接続されたノードとの間の第１のＳ１接続、および接続されたノードとコアネットワークとの間の第２のＳ１接続によって形成されてよい。
【０１３３】
例えば、後述のように、いくつかの例示的な実施形態において、ノード１０６は、ノード１０８に対しＭＭＥのように「見える」ように、新しいＭＭＥに対しノード１０８のように「見える」ように構成されてよい。
【０１３４】
いくつかの例示的な実施形態において、ノード１０６のコントローラ２４０（図２）は、ノード１０６のアドレスを表すコアネットワーク識別子を含むコアネットワークノード検出応答をノード１０８に送信するよう構成されてよい。例えば、ノード１０６のコントローラ２４０（図２）は、コアネットワークノード検出応答内のコアネットワーク識別子としてノード１０６の独自のＩＰアドレスをノード１０８に送信するよう構成されてよい。その結果、例えば、選択されたＭＭＥが実際のノード１０６であることをノード１０８が認識していない場合であっても、ノード１０８は、ノード１０６のＩＰアドレスを選択されたＭＭＥとして選択してよい。
【０１３５】
いくつかの例示的な実施形態において、例えば、ノード１０８は新しい「ＭＭＥ」が実際のノード１０６であることを認識していない状態で、ノード１０８は、ノード１０８と新しい「ＭＭＥ」との間のＳＣＴＰ接続を確立すべく、ノード１０６からのコアネットワークノード検出応答内のコアネットワーク識別子を使用してよい。ノード１０８の観点からは、例えば、ノード１０６等の新しい「ＭＭＥ」とのＳ１接続を確立すべく、通常のＳ１ＡＰ初期化およびメッセージ交換が行われてよい。
【０１３６】
いくつかの例示的な実施形態において、ノード１０６がＳ１セットアップメッセージをノード１０８から受信する場合、ノード１０６のコントローラ２０４（図２）は、コアネットワーク１２０内のＭＭＥへの例えば、ＳＣＴＰ接続等の新しいトランスポートレイヤ接続を確立してよい。ノード１０６のコントローラ２０４（図２）は、例えば、ノード１０６が複数のＭＭＥに接続されている場合、ＭＭＥをノード１０８のために選択してよい。  いくつかの例示的な実施形態において、ノード１０６のコントローラ２４０（図２）は、例えば、ノード１０８等のｅＮＢに専用のＳＣＴＰ接続を確立してよい。
【０１３７】
いくつかの例示的な実施形態において、ノード１０６のコントローラ２４０（図２）は、ＭＭＥへのＳＣＴＰ接続と、例えばコアネットワーク１２０へのバックホール接続性のためにノード１０６を使用する各ｅＮＢのｅＮＢ識別子との間の１対１のマッピングを保持してよい。例えば、各ＳＣＴＰ接続は、ＭＭＥのＭＭＥ  ＩＰアドレス、およびＳＣＴＰ接続が使用されることになるノードのｅＮＢ識別子にマッピングされてよい。
【０１３８】
いくつかの例示的な実施形態において、ノード１０６のコントローラ２４０（図２）は、複数のｅＮＢとＭＭＥとの間で通信すべく、ＳＣＴＰ接続を確立してよい。
【０１３９】
ノード１０６のコントローラ２４０（図２）は、例えば、ノード１０６からＭＭＥへのＳＣＴＰ接続、およびノード１０６からノード１０８等の別のｅＮＢへのＳＣＴＰ接続といった２つのＳＣＴＰ接続間のマッピングを保持してよい。
【０１４０】
いくつかの例示的な実施形態において、ノード１０６のコントローラ２０４（図２）は、例えば、Ｓ１セットアップを含むすべてのＳ１ＡＰメッセージを、２つのＳＣＴＰ接続間のマッピングに基づいて転送してよい。
【０１４１】
例えば、ノード１０６のコントローラ２４０（図２）は、ノード１０６から、ノード１０６に「ＭＭＥ」としてアドレス指定されたＳ１ＡＰセットアップメッセージを受信してよい。ノード１０６のコントローラ２４０（図２）は、ノード１０６とノード１０８との間のＳ１接続をセットアップしてよく、Ｓ１接続をノード１０６とコアネットワーク１２０のＭＭＥとの間のＳＣＴＰ接続にマッピングしてよい。この例によると、ノード１０６のコントローラ２４０（図２）は、Ｓ１接続を介して、ノード１０８とＳ１ＡＰメッセージを通信してよく、ＳＣＴＰ接続を介してＭＭＥとＳ１ＡＰメッセージを通信してよい。
【０１４２】
図３は、いくつかの例示的な実施形態による、セルラノードとコアネットワークとの間の接続を確立する方法の概略フローチャートである。いくつかの例示的な実施形態において、図３の方法に係る１または複数の処理は、例えば、システム１００（図１のＡ）、例えば、ノード１０６（図１）、ノード１０８（図１）、ノード１０９（図１）、および／またはノード２００（図２）等のセルラノード、および／または例えば、コントローラ２４０（図２）等のコントローラといった、システムの１または複数の要素によって実行されてよい。
【０１４３】
ブロック３０２で示される通り、方法は、第１のｅＮＢから第２のｅＮＢへ、コアネットワークノード検出要求を含む第１のメッセージを送信することを含んでよい。例えば、上述のように、例えば、ノード１０８（図１）のコントローラ２４０（図２）は、コアネットワークノード検出要求をノード１０６（図１）および／または１または複数の他のノードに送信してよい。
【０１４４】
ブロック３００で示される通り、方法は、コアネットワークへのコアネットワーク接続の切断を検出すること、および切断を検出すると、コアネットワークノード検出要求を送信することを含んでよい。例えば、上述のように、例えば、ノード１０８（図１）のコントローラ２４０（図２）は、ノード１０８（図１）とコアネットワーク１２０（図１）との間のバックホール接続の切断を検出すると、コアネットワークノード検出要求を送信してよい。
【０１４５】
ブロック３０４で示される通り、方法は、第２のｅＮＢにおいて、コアネットワークノード検出要求を受信することを含んでよい。例えば、上述のように、例えば、ノード１０６（図１）は、ノード１０８（図１）からコアネットワークノード検出要求を受信してよい。
【０１４６】
ブロック３０６で示される通り、方法は、第２のｅＮＢから第１のｅＮＢへ、コアネットワークノードを表わすコアネットワークノード識別子を含むコアネットワークノード検出応答を送信することを含んでよい。例えば、上述のように、例えば、ノード１０６（図１）のコントローラ２４０（図２）は、ノード１０８（図１）に、例えば、ＭＭＥ  ＩＰアドレスおよび／またはＧＵＭＭＥＩ等の少なくとも１つのＭＭＥ識別子を含むコアネットワークノード検出応答を送信してよい。
【０１４７】
ブロック３０８で示される通り、方法は、第１のｅＮＢにおいてコアネットワークノード検出応答を受信することを含んでよい。例えば、上述のように、例えば、ノード１０８（図１）は、ノード１０６（図１）からコアネットワークノード検出応答を受信してよい。
【０１４８】
ブロック３１０で示される通り、方法は、コアネットワークノード識別子を使用して、第１のｅＮＢとコアネットワークとの間にＳ１接続を確立することを含んでよい。例えば、上述のように、例えば、ノード１０８（図１）のコントローラ２４０（図２）は、ノード１０６（図１）から受信されるＭＭＥ  ＩＰアドレスを使用して、コアネットワーク１２０（図１）とのＳ１接続を確立してよい。
【０１４９】
図４を参照すると、いくつかの例示的な実施形態による、製品４００が概略的に示されている。製品４００は、ロジック４０４を格納するための非一時的機械可読記憶媒体４０２を含んでよく、ロジック４０４は例えば、ノード１０６（図１）、ノード１０８（図１）、ノード１０９（図１）、および／またはノード２００（図２）等のノード、例えば、コントローラ２４０（図２）等のコントローラ、および／または例えば、メッセージプロセッサ２５０（図２）等のメッセージプロセッサの機能の少なくとも一部を実行するため、並びに／または図３の方法に係る１または複数の処理を実行するために使用されてよい。「非一時的機械可読媒体」という文言は、一時的な伝搬信号を唯一除き、すべてのコンピュータ可読媒体を含むよう述べられている。
【０１５０】
いくつかの例示的な実施形態において、製品４００および／または機械可読記憶媒体４０２は、揮発性メモリ、不揮発性メモリ、取り外し可能または取り外し不可能なメモリ、消去可能または消去不可能なメモリ、書き込み可能若しくは再書き込み可能なメモリ等を含む、データを格納可能な１または複数のタイプのコンピュータ可読記憶媒体を含んでよい。例えば、機械可読記憶媒体４０２は、ＲＡＭ、ＤＲＡＭ、ダブルデータレートＤＲＡＭ（ＤＤＲ‐ＤＲＡＭ）、ＳＤＲＡＭ、スタティックＲＡＭ（ＳＲＡＭ）、ＲＯＭ，プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）コンパクトディスクＲＯＭ（ＣＤ‐ＲＯＭ）、コンパクトディスク記録可能（ＣＤ‐Ｒ）、コンパクトディスク再書き込み可能（ＣＤ‐ＲＷ）、フラッシュメモリ（例えば、ＮＯＲ若しくはＮＡＮＤフラッシュメモリ）、コンテンツアドレス指定可能メモリ（ＣＡＭ）、ポリマメモリ、相変化メモリ、強誘電体メモリ、シリコン／酸化物／窒化物／酸化物／シリコン（ＳＯＮＯＳ）メモリ、ディスク、フロッピー（登録商標）ディスク、ハードドライブ、光ディスク、磁気ディスク、カード、磁気カード、光カード、テープ、カセット等を含んでよい。コンピュータ可読記憶媒体は、例えば、モデム、無線若しくはネットワーク接続等の通信リンクを介し、リモートコンピュータから、要求元コンピュータへの、搬送波または他の伝搬媒体において具現化されたデータ信号によって搬送されるコンピュータプログラムのダウンロードまたは転送に必要な任意の好適な媒体を含んでよい。
【０１５１】
いくつかの例示的な実施形態において、ロジック４０４は、機械によって実行される場合、機械に対し、本明細書で記載の方法、プロセスおよび／または処理を実行させ得る複数の命令、データ、および／またはコードを含んでよい。当該機械は、例えば、任意の好適な処理プラットフォーム、コンピューティングプラットホーム、コンピューティングデバイス、処理デバイス、コンピューティングシステム、処理システム、コンピュータ、プロセッサ等を含んでよく、およびハードウェア、ソフトウェア、ファームウェア等の任意の好適な組み合わせを使用して実装されてよい。
【０１５２】
いくつかの例示的な実施形態において、ロジック４０４は、ソフトウェア、ソフトウェアモジュール、アプリケーション、プログラム、サブルーチン、複数の命令、命令セット、コンピューティングコード、複数のワード、複数の値、複数の記号等を含んでよく、またはそれらとして実装されてよい。当該命令は、ソースコード、コンパイルされたコード、解釈されたコード、実行可能なコード、静的コード、動的コード等のような任意の好適なタイプのコードを含んでよい。当該命令は、プロセッサに対し、特定の機能を実行するよう命令するための予め定義されたコンピュータ言語、方法またはシンタックスに従い、実装されてよい。当該命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、機械コード等の任意の好適な高水準、低水準、オブジェクト指向、ビジュアル型の、コンパイルおよび／または解釈されたプログラミング言語を使用して実装されてよい。
［例］
【０１５３】
以下の例は、さらなる実施形態に関する。
【０１５４】
例１は、第１の進化型ノードＢ（ｅＮＢ）であって、ユーザ機器（ＵＥ）と通信するセルラトランシーバと、少なくとも１つの第２のｅＮＢと通信するＸ２インタフェースと、上記第２のｅＮＢに、コアネットワークノード検出要求を含む第１のメッセージを送信し、上記第２のｅＮＢから、コアネットワークノード識別子を含む第２のメッセージを受信し、上記コアネットワークノード識別子を使用して上記第１のｅＮＢとコアネットワークとの間にＳ１接続を確立するコントローラと、を備える、第１のｅＮＢを含む。
【０１５５】
例２は、例１の主題を含み、オプションで、上記コアネットワークと通信するコアネットワークインタフェースを備え、上記コントローラは、上記コアネットワークから上記コアネットワークインタフェースが切断されると、上記第１のメッセージを送信する。
【０１５６】
例３は、例１または２の主題を含み、オプションで、上記コントローラは、複数の第２のｅＮＢに、上記第１のメッセージを送信し、上記複数の第２のｅＮＢのうちの２または２より多いものから、複数のコアネットワークノード識別子を含む２または２より多い第２のメッセージを受信し、上記複数のコアネットワークノード識別子のうち選択されたコアネットワークノード識別子を使用して、上記コアネットワークとの上記Ｓ１接続を確立する。
【０１５７】
例４は、例１から３のいずれかの主題を含み、オプションで、上記コントローラは、上記第１のｅＮＢと上記第２のｅＮＢとの間でＸ２アプリケーションプロトコル（Ｘ２ＡＰ）メッセージを通信し、上記Ｘ２ＡＰメッセージは、上記コアネットワークノード識別子を含み、上記第１のｅＮＢと上記コアネットワークとの間の上記Ｓ１接続のＳ１アプリケーションプロトコル（Ｓ１ＡＰ）メッセージをカプセル化する。
【０１５８】
例５は、例４の主題を含み、オプションで、上記Ｘ２ＡＰメッセージは、Ｘ２ＡＰ転送メッセージを含む。
【０１５９】
例６は、例１から３のいずれかの主題を含み、オプションで、上記Ｓ１接続は、トランスポートレイヤ接続を介する。
【０１６０】
例７は、例６の主題を含み、オプションで、上記トランスポートレイヤ接続は、ストリーム制御通信プロトコル（ＳＣＴＰ）接続である。
【０１６１】
例８は、例１から７のいずれかの主題を含み、オプションで、上記コアネットワークノード識別子は、モビリティ管理エンティティ（ＭＭＥ）識別子を含む。
【０１６２】
例９は、例８の主題を含み、オプションで、上記ＭＭＥ識別子は、ＭＭＥインターネットプロトコル（ＩＰ）アドレス、またはグローバル一意ＭＭＥ識別子（ＧＵＭＭＥＩ）を含む。
【０１６３】
例１０は、例１から９のいずれかの主題を含み、オプションで、上記第１のメッセージは、Ｘ２アプリケーションプロトコル（Ｘ２ＡＰ）バックホール接続性要求を含み、上記第２のメッセージは、Ｘ２ＡＰバックホール接続性応答を含む。
【０１６４】
例１１は、例１から１０のいずれかの主題を含み、オプションで、１または複数のアンテナ、メモリ、およびプロセッサを含む。
【０１６５】
例１２は、第１の進化型ノードＢ（ｅＮＢ）であって、コアネットワークと通信するコアネットワークインタフェースと、少なくとも１つの第２のｅＮＢと通信するＸ２インタフェースと、上記第２のｅＮＢから、コアネットワークノード検出要求を受信し、上記第２のｅＮＢに、コアネットワークノードを表わすコアネットワークノード識別子を含む応答を送信するコントローラと、を備える、第１のｅＮＢを含む。
【０１６６】
例１３は、例１２の主題を含み、オプションで、上記コントローラは、上記第１のｅＮＢから、上記コアネットワークノードに接続するための要求を受信し、上記コントローラは、上記第１のｅＮＢを介して上記第２のｅＮＢと上記コアネットワークとの間にＳ１接続を確立する。
【０１６７】
例１４は、例１３の主題を含み、オプションで、上記コントローラは、上記第１のｅＮＢと上記第２のｅＮＢとの間でＸ２アプリケーションプロトコル（Ｘ２ＡＰ）メッセージを通信し、上記Ｘ２ＡＰメッセージは、上記コアネットワークノード識別子を含み、上記第２のｅＮＢと上記コアネットワークとの間の上記Ｓ１接続のＳ１アプリケーションプロトコル（Ｓ１ＡＰ）メッセージをカプセル化し、上記コントローラは、上記第１のｅＮＢと上記コアネットワークノードとの間のトランスポートレイヤ接続を介して、上記コアネットワークと上記Ｓ１ＡＰメッセージを通信する。
【０１６８】
例１５は、例１４の主題を含み、オプションで、上記トランスポートレイヤ接続は、上記第１のｅＮＢと上記コアネットワークノードとの間のストリーム制御通信プロトコル（ＳＣＴＰ）接続を含む。
【０１６９】
例１６は、例１５の主題を含み、オプションで、上記コントローラは、上記第２のｅＮＢに専用の上記ＳＣＴＰ接続を確立する。
【０１７０】
例１７は、例１５の主題を含み、オプションで、上記コントローラは、複数の第２のｅＮＢと上記コアネットワークノードとの間で通信すべく、上記ＳＣＴＰ接続を確立する。
【０１７１】
例１８は、例１４から１７のいずれかの主題を含み、オプションで、上記Ｘ２ＡＰメッセージは、Ｘ２ＡＰ転送メッセージを含む。
【０１７２】
例１９は、例１２または１３の主題を含み、オプションで、上記コアネットワークノード識別子は、上記第１のｅＮＢのアドレスを含む。
【０１７３】
例２０は、例１９の主題を含み、オプションで、上記コントローラは、上記第２のｅＮＢから、上記第１のｅＮＢにアドレス指定されたＳ１アプリケーションプロトコル（Ｓ１ＡＰ）セットアップメッセージを受信し、上記コントローラは、上記第１のｅＮＢと上記第２のｅＮＢとの間のＳ１接続をセットアップし、上記Ｓ１接続を、上記第１のｅＮＢと上記コアネットワークのモビリティ管理エンティティ（ＭＭＥ）との間のストリーム制御通信プロトコル（ＳＣＴＰ）接続にマッピングし、上記Ｓ１接続を介して上記第２のｅＮＢとＳ１ＡＰメッセージを通信し、上記ＳＣＴＰ接続を介して上記ＭＭＥと上記Ｓ１ＡＰメッセージとを通信する。
【０１７４】
例２１は、例２０の主題を含み、オプションで、上記コントローラは、上記第２のｅＮＢに専用の上記ＳＣＴＰ接続を確立する。
【０１７５】
例２２は、例２０の主題を含み、オプションで、上記コントローラは、複数の第２のｅＮＢと上記コアネットワークノードとの間で通信すべく、上記ＳＣＴＰ接続を確立する。
【０１７６】
例２３は、例１２から２２のいずれかの主題を含み、オプションで、上記コアネットワークノード識別子は、モビリティ管理エンティティ（ＭＭＥ）識別子を含む。
【０１７７】
例２４は、例１２から２３のいずれかの主題を含み、オプションで、１または複数のアンテナ、メモリ、およびプロセッサを含む。
【０１７８】
例２５は、第１の進化型ノードＢ（ｅＮＢ）であって、コアネットワークと通信するコアネットワークインタフェースと、少なくとも１つの第２のｅＮＢと通信するＸ２インタフェースと、上記第１のｅＮＢを介して、上記第２のｅＮＢと上記コアネットワークのコアネットワークノードとの間でＳ１接続を確立するコントローラと、を備え、上記コントローラは、上記第１のｅＮＢと上記第２のｅＮＢとの間でＸ２アプリケーションプロトコル（Ｘ２ＡＰ）メッセージを通信し、上記Ｘ２ＡＰメッセージは、上記コアネットワークノードのコアネットワークノード識別子を含み、上記第２のｅＮＢと上記コアネットワークノードとの間の上記Ｓ１接続のＳ１アプリケーションプロトコル（Ｓ１ＡＰ）メッセージをカプセル化する、第１のｅＮＢを含む。
【０１７９】
例２６は、例２５の主題を含み、オプションで、上記コントローラは、上記第２のｅＮＢから、コアネットワークノード検出要求を受信し、上記第２のｅＮＢに、上記コアネットワークノードのコアネットワークノード識別子を含む応答を送信する。
【０１８０】
例２７は、例２６の主題を含み、オプションで、上記コアネットワークノード識別子は、モビリティ管理エンティティ（ＭＭＥ）識別子を含む。
【０１８１】
例２８は、例２７の主題を含み、オプションで、上記ＭＭＥ識別子は、ＭＭＥインターネットプロトコル（ＩＰ）アドレス、またはグローバル一意ＭＭＥ識別子（ＧＵＭＭＥＩ）を含む。
【０１８２】
例２９は、例２５から２８のいずれかの主題を含み、オプションで、上記コントローラは、上記第１のｅＮＢと上記コアネットワークノードとの間のトランスポートレイヤ接続を介して上記Ｓ１接続を確立する。
【０１８３】
例３０は、例２９の主題を含み、オプションで、上記トランスポートレイヤ接続は、上記第１のｅＮＢと上記コアネットワークノードとの間のストリーム制御通信プロトコル（ＳＣＴＰ）接続を含む。
【０１８４】
例３１は、例３０の主題を含み、オプションで、上記コントローラは、上記第２のｅＮＢに専用の上記ＳＣＴＰ接続を確立する。
【０１８５】
例３２は、例３０の主題を含み、オプションで、上記コントローラは、複数の第２のｅＮＢと上記コアネットワークノードとの間で通信すべく、上記ＳＣＴＰ接続を確立する。
【０１８６】
例３３は、例２５から３２のいずれかの主題を含み、オプションで、上記Ｘ２ＡＰメッセージはＸ２ＡＰ転送メッセージを含む。
【０１８７】
例３４は、例２５から３３のいずれかの主題を含み、オプションで、１または複数のアンテナ、メモリ、およびのプロセッサを含む。
【０１８８】
例３５は、第１の進化型ノードＢ（ｅＮＢ）において実行される方法であって、第２のｅＮＢに、コアネットワークノード検出要求を含む第１のメッセージを送信する段階と、上記第２のｅＮＢから、コアネットワークノード識別子を含む第２のメッセージを受信する段階と、上記コアネットワークノード識別子を使用して、上記第１のｅＮＢとコアネットワークとの間のＳ１接続を確立する段階と、を備える方法を含む。
【０１８９】
例３６は、例３５の主題を含み、オプションで、上記コアネットワークのコアネットワーク接続が切断されると、上記第１のメッセージを送信する段階を含む。
【０１９０】
例３７は、例３５または３６の主題を含み、オプションで、複数の第２のｅＮＢに、上記第１のメッセージを送信する段階と、上記複数の第２のｅＮＢのうちの２または２より多いものから、複数のコアネットワークノード識別子を含む２または２より多い第２のメッセージを受信する段階と、上記複数のコアネットワークノード識別子のうち選択されたコアネットワークノード識別子を使用して、上記コアネットワークとの上記Ｓ１接続を確立する段階を含む。
【０１９１】
例３８は、例３５から３７のいずれかの主題を含み、オプションで、上記第１のｅＮＢと上記第２のｅＮＢとの間でＸ２アプリケーションプロトコル（Ｘ２ＡＰ）メッセージを通信する段階を含み、上記Ｘ２ＡＰメッセージは、上記コアネットワークノード識別子を含み、上記第１のｅＮＢと上記コアネットワークとの間の上記Ｓ１接続のＳ１アプリケーションプロトコル（Ｓ１ＡＰ）メッセージをカプセル化する。
【０１９２】
例３９は、例３８の主題を含み、オプションで、上記Ｘ２ＡＰメッセージはＸ２ＡＰ転送メッセージを含む。
【０１９３】
例４０は、例３５から３９のいずれかの主題を含み、オプションで、上記Ｓ１接続はトランスポートレイヤ接続を介する。
【０１９４】
例４１は、例４０の主題を含み、オプションで、上記トランスポートレイヤ接続はストリーム制御通信プロトコル（ＳＣＴＰ）接続である。
【０１９５】
例４２は、例３５から４１のいずれかの主題を含み、オプションで、上記コアネットワークノード識別子は、モビリティ管理エンティティ（ＭＭＥ）識別子を含む。
【０１９６】
例４３は、例４２の主題を含み、オプションで、上記ＭＭＥ識別子は、ＭＭＥインターネットプロトコル（ＩＰ）アドレス、またはグローバル一意ＭＭＥ識別子（ＧＵＭＭＥＩ）を含む。
【０１９７】
例４４は、例３５から４３のいずれかの主題を含み、オプションで、上記第１のメッセージは、Ｘ２アプリケーションプロトコル（Ｘ２ＡＰ）バックホール接続性要求を含み、上記第２のメッセージはＸ２ＡＰバックホール接続性応答を含む。
【０１９８】
例４５は、第１の進化型ノードＢ（ｅＮＢ）で実行される方法を含み、方法は、第２のｅＮＢからコアネットワークノード検出要求を受信する段階と、上記第２のｅＮＢに、コアネットワークノードを表わすコアネットワークノード識別子含む応答を送信する段階と、を含む。
【０１９９】
例４６は、例４５の主題を含み、オプションで、上記第１のｅＮＢから、上記コアネットワークノードに接続するための要求を受信する段階と、上記第１のｅＮＢを介して上記第２のｅＮＢと上記コアネットワークとの間にＳ１接続を確立する段階と、を含む。
【０２００】
例４７は、例４６の主題を含み、オプションで、上記第１のｅＮＢと上記第２のｅＮＢとの間でＸ２アプリケーションプロトコル（Ｘ２ＡＰ）メッセージを通信する段階を含み、上記Ｘ２ＡＰメッセージは、上記コアネットワークノード識別子を含み、上記第２のｅＮＢと上記コアネットワークとの間の上記Ｓ１接続のＳ１アプリケーションプロトコル（Ｓ１ＡＰ）メッセージをカプセル化し、上記第１のｅＮＢと上記コアネットワークノードとの間のトランスポートレイヤ接続を介して、上記コアネットワークと上記Ｓ１ＡＰメッセージを通信する段階を含む。
【０２０１】
例４８は、例４７の主題を含み、オプションで、上記トランスポートレイヤ接続は、上記第１のｅＮＢと上記コアネットワークノードとの間のストリーム制御通信プロトコル（ＳＣＴＰ）接続を含む。
【０２０２】
例４９は、例４８の主題を含み、オプションで、上記第２のｅＮＢに専用の上記ＳＣＴＰ接続を確立する段階を含む。
【０２０３】
例５０は、例４８の主題を含み、オプションで、複数の第２のｅＮＢと上記コアネットワークノードとの間で通信すべく、上記ＳＣＴＰ接続を確立する段階を含む。
【０２０４】
例５１は、例４７から５０のいずれかの主題を含み、オプションで、上記Ｘ２ＡＰメッセージはＸ２ＡＰ転送メッセージを含む。
【０２０５】
例５２は、例４５または４６の主題を含み、オプションで、上記コアネットワークノード識別子は、上記第１のｅＮＢのアドレスを含む。
【０２０６】
例５３は、例５２の主題を含み、オプションで、上記第２のｅＮＢから、上記第１のｅＮＢにアドレス指定されたＳ１アプリケーションプロトコル（Ｓ１ＡＰ）セットアップメッセージを受信する段階と、上記第１のｅＮＢと上記第２のｅＮＢとの間のＳ１接続をセットアップする段階と、上記Ｓ１接続を、上記第１のｅＮＢと上記コアネットワークのモビリティ管理エンティティ（ＭＭＥ）との間のストリーム制御通信プロトコル（ＳＣＴＰ）接続にマッピングする段階と、上記Ｓ１接続を介して上記第２のｅＮＢとＳ１ＡＰメッセージを通信する段階と、上記ＳＣＴＰ接続を介して上記ＭＭＥと上記Ｓ１ＡＰメッセージを通信する段階と、を含む。
【０２０７】
例５４は、例５３の主題を含み、オプションで、上記第２のｅＮＢに専用の上記ＳＣＴＰ接続を確立する段階を含む。
【０２０８】
例５５は、例５３の主題を含み、オプションで、複数の第２のｅＮＢと上記コアネットワークノードとの間で通信すべく、上記ＳＣＴＰ接続を確立する段階を含む。
【０２０９】
例５６は、例４５から５５のいずれかの主題を含み、オプションで、上記コアネットワークノード識別子は、モビリティ管理エンティティ（ＭＭＥ）識別子を含む。
【０２１０】
例５７は、第１の進化型ノードＢ（ｅＮＢ）において実行される方法であって、上記第１のｅＮＢを介して、第２のｅＮＢとコアネットワークのコアネットワークノードとの間にＳ１接続を確立する段階と、上記第１のｅＮＢと上記第２のｅＮＢとの間でＸ２アプリケーションプロトコル（Ｘ２ＡＰ）メッセージを通信する段階と、を備える方法を含み、上記Ｘ２ＡＰメッセージは、上記コアネットワークノードのコアネットワークノード識別子を含み、上記第２のｅＮＢと上記コアネットワークノードとの間の上記Ｓ１接続のＳ１ＡＰメッセージをカプセル化する。
【０２１１】
例５８は、例５７の主題を含み、オプションで、上記第２のｅＮＢから、コアネットワークノード検出要求を受信する段階と、上記第２のｅＮＢに、上記コアネットワークノードのコアネットワークノード識別子を含む応答を送信する段階と、を含む。
【０２１２】
例５９は、例５８の主題を含み、オプションで、上記コアネットワークノード識別子はモビリティ管理エンティティ（ＭＭＥ）識別子を含む。
【０２１３】
例６０は、例５９の主題を含み、オプションで、上記ＭＭＥ識別子は、ＭＭＥインターネットプロトコル（ＩＰ）アドレス、またはグローバル一意ＭＭＥ識別子（ＧＵＭＭＥＩ）を含む。
【０２１４】
例６１は、例５７から６０のいずれかの主題を含み、オプションで、上記第１のｅＮＢと上記コアネットワークノードとの間のトランスポートレイヤ接続を介して上記Ｓ１接続を確立する段階を含む。
【０２１５】
例６２は、例６１の主題を含み、オプションで、上記トランスポートレイヤ接続は、上記第１のｅＮＢと上記コアネットワークノードとの間のストリーム制御通信プロトコル（ＳＣＴＰ）接続を含む。
【０２１６】
例６３は、例６２の主題を含み、オプションで、上記第２のｅＮＢに専用の上記ＳＣＴＰ接続を確立する段階を含む。
【０２１７】
例６４は、例６２の主題を含み、オプションで、複数の第２のｅＮＢと上記コアネットワークノードとの間で通信すべく、上記ＳＣＴＰ接続を確立する段階を含む。
【０２１８】
例６５は、例５７から６４のいずれかの主題を含み、オプションで、上記Ｘ２ＡＰメッセージはＸ２ＡＰ転送メッセージを含む。
【０２１９】
例６６は、１または複数の有形なコンピュータ可読非一時的記憶媒体を備える製品であって、上記１または複数の有形なコンピュータ可読非一時的記憶媒体は、少なくとも１つのコンピュータプロセッサによる実行時に、上記少なくとも１つのコンピュータプロセッサが第１の進化型ノードＢ（ｅＮＢ）において方法を実装できるように動作可能な複数のコンピュータで実行可能な命令を含み、上記方法は、第２のｅＮＢに、コアネットワークノード検出要求を含む第１のメッセージを送信する段階と、上記第２のｅＮＢから、コアネットワークノード識別子を含む第２のメッセージを受信する段階と、上記コアネットワークノード識別子を使用して、上記第１のｅＮＢとコアネットワークとの間にＳ１接続を確立する段階と、を含む、製品を含む。
【０２２０】
例６７は、例６６の主題を含み、オプションで、上記方法は、上記コアネットワークのコアネットワーク接続が切断されると、上記第１のメッセージを送信する段階を含む。
【０２２１】
例６８は、例６６または６７の主題を含み、オプションで、上記方法は、複数の第２のｅＮＢに、上記第１のメッセージを送信する段階と、上記複数の第２のｅＮＢのうちの２または２より多いものから、複数のコアネットワークノード識別子を含む２または２より多い第２のメッセージを受信する段階と、上記複数のコアネットワークノード識別子のうち選択されたコアネットワークノード識別子を使用して、上記コアネットワークとの上記Ｓ１接続を確立する段階を含む。
【０２２２】
例６９は、例６６から６８のいずれかの主題を含み、オプションで、上記方法は、上記第１のｅＮＢと上記第２のｅＮＢとの間でＸ２アプリケーションプロトコル（Ｘ２ＡＰ）メッセージを通信する段階を含み、上記Ｘ２ＡＰメッセージは、上記コアネットワークノード識別子を含み、上記第１のｅＮＢと上記コアネットワークとの間の上記Ｓ１接続のＳ１ＡＰメッセージをカプセル化する。
【０２２３】
例７０は、例６９の主題を含み、オプションで、上記Ｘ２ＡＰメッセージはＸ２ＡＰ転送メッセージを含む。
【０２２４】
例７１は、例６６から７０のいずれかの主題を含み、オプションで、上記Ｓ１接続は、トランスポートレイヤ接続を介する。
【０２２５】
例７２は、例７１の主題を含み、オプションで、上記トランスポートレイヤ接続はストリーム制御通信プロトコル（ＳＣＴＰ）接続である。
【０２２６】
例７３は、例６６から７２のいずれかの主題を含み、オプションで、上記コアネットワークノード識別子は、モビリティ管理エンティティ（ＭＭＥ）識別子を含む。
【０２２７】
例７４は、例７３の主題を含み、オプションで、上記ＭＭＥ識別子は、ＭＭＥインターネットプロトコル（ＩＰ）アドレス、またはグローバル一意ＭＭＥ識別子（ＧＵＭＭＥＩ）を含む。
【０２２８】
例７５は、例６６から７４のいずれかの主題を含み、オプションで、上記第１のメッセージは、Ｘ２アプリケーションプロトコル（Ｘ２ＡＰ）バックホール接続性要求を含み、上記第２のメッセージは、Ｘ２ＡＰバックホール接続性応答を含む。
【０２２９】
例７６は、１または複数の有形なコンピュータ可読非一時的記憶媒体を備える製品であって、上記１または複数の有形なコンピュータ可読非一時的記憶媒体は、少なくとも１つのコンピュータプロセッサによる実行時に、上記少なくとも１つのコンピュータプロセッサが第１の進化型ノードＢ（ｅＮＢ）において方法を実装できるように動作可能な複数のコンピュータで実行可能な命令を含み、上記方法は、第２のｅＮＢから、コアネットワークノード検出要求を受信する段階と、上記第２のｅＮＢに、コアネットワークノードを表わすコアネットワークノード識別子を含む応答を送信する段階と、を含む。
【０２３０】
例７７は、例７６の主題を含み、オプションで、上記方法は、上記第１のｅＮＢから、上記コアネットワークノードに接続するための要求を受信する段階と、上記第１のｅＮＢを介して上記第２のｅＮＢと上記コアネットワークとの間にＳ１接続を確立する段階と、を含む。
【０２３１】
例７８は、例７７の主題を含み、オプションで、上記方法は、上記第１のｅＮＢと上記第２のｅＮＢとの間でＸ２アプリケーションプロトコル（Ｘ２ＡＰ）メッセージを通信する段階を含み、上記Ｘ２ＡＰメッセージは、上記コアネットワークノード識別子を含み、上記第２のｅＮＢと上記コアネットワークとの間の上記Ｓ１接続のＳ１ＡＰメッセージをカプセル化し、上記第１のｅＮＢと上記コアネットワークノードとの間のトランスポートレイヤ接続を介して、上記コアネットワークと上記Ｓ１ＡＰメッセージを通信する段階を含む。
【０２３２】
例７９は、例７８の主題を含み、オプションで、上記トランスポートレイヤ接続は、上記第１のｅＮＢと上記コアネットワークノードとの間のストリーム制御通信プロトコル（ＳＣＴＰ）接続を含む。
【０２３３】
例８０は、例７９の主題を含み、オプションで、上記方法は、上記第２のｅＮＢに専用の上記ＳＣＴＰ接続を確立する段階を含む。
【０２３４】
例８１は、例７９の主題を含み、オプションで、上記方法は、複数の第２のｅＮＢと上記コアネットワークノードとの間で通信すべく、上記ＳＣＴＰ接続を確立する段階を含む。
【０２３５】
例８２は、例７８から８１のいずれかの主題を含み、オプションで、上記Ｘ２ＡＰメッセージは、Ｘ２ＡＰ転送メッセージを含む。
【０２３６】
例８３は、例７６または７７の主題を含み、オプションで、上記コアネットワークノード識別子は、上記第１のｅＮＢのアドレスを含む。
【０２３７】
例８４は、例８３の主題を含み、オプションで、上記方法は、上記第２のｅＮＢから、上記第１のｅＮＢにアドレス指定されたＳ１アプリケーションプロトコル（Ｓ１ＡＰ）セットアップメッセージを受信する段階と、上記第１のｅＮＢと上記第２のｅＮＢとの間のＳ１接続をセットアップする段階と、上記Ｓ１接続を、上記第１のｅＮＢと上記コアネットワークのモビリティ管理エンティティ（ＭＭＥ）との間のストリーム制御通信プロトコル（ＳＣＴＰ）接続にマッピングする段階と、上記Ｓ１接続を介して上記第２のｅＮＢとＳ１ＡＰメッセージを通信する段階と、上記ＳＣＴＰ接続を介して上記ＭＭＥと上記Ｓ１ＡＰメッセージを通信する段階と、を含む。
【０２３８】
例８５は、例８４の主題を含み、オプションで、上記方法は、上記第２のｅＮＢに専用の上記ＳＣＴＰ接続を確立する段階を含む。
【０２３９】
例８６は、例８４の主題を含み、オプションで、上記方法は、複数の第２のｅＮＢと上記コアネットワークノードとの間で通信すべく、上記ＳＣＴＰ接続を確立する段階を含む。
【０２４０】
例８７は、例７６から８６のいずれかの主題を含み、オプションで、上記コアネットワークノード識別子は、モビリティ管理エンティティ（ＭＭＥ）識別子を含む。
【０２４１】
例８８は、１または複数の有形なコンピュータ可読非一時的記憶媒体を備える製品であって、上記１または複数の有形なコンピュータ可読非一時的記憶媒体は、少なくとも１つのコンピュータプロセッサによる実行時に、上記少なくとも１つのコンピュータプロセッサが第１の進化型ノードＢ（ｅＮＢ）において方法を実装できるよう動作可能な複数のコンピュータで実行可能な命令を含み、上記方法は、上記第１のｅＮＢを介して、第２のｅＮＢと、コアネットワークのコアネットワークノードとの間にＳ１接続を確立する段階と、上記第１のｅＮＢと上記第２のｅＮＢとの間でＸ２アプリケーションプロトコル（Ｘ２ＡＰ）メッセージを通信する段階と、を備え、上記Ｘ２ＡＰメッセージは、上記コアネットワークノードのコアネットワークノード識別子を含み、上記第２のｅＮＢと上記コアネットワークノードとの間の上記Ｓ１接続のＳ１アプリケーションプロトコル（Ｓ１ＡＰ）メッセージをカプセル化する、装置を含む。
【０２４２】
例８９は、例８８の主題を含み、オプションで、上記方法は、上記第２のｅＮＢから、コアネットワークノード検出要求を受信する段階と、上記第２のｅＮＢに、上記コアネットワークノードのコアネットワークノード識別子を含む応答を送信する段階と、を含む。
【０２４３】
例９０は、例８９の主題を含み、オプションで、上記コアネットワークノード識別子は、モビリティ管理エンティティ（ＭＭＥ）識別子を含む。
【０２４４】
例９１は、例９０の主題を含み、オプションで、上記ＭＭＥ識別子は、ＭＭＥインターネットプロトコル（ＩＰ）アドレス、またはグローバル一意ＭＭＥ識別子（ＧＵＭＭＥＩ）を含む。
【０２４５】
例９２は、例８８から９１のいずれかの主題を含み、オプションで、上記方法は、上記第１のｅＮＢと上記コアネットワークノードとの間のトランスポートレイヤ接続を介して上記Ｓ１接続を確立する段階を含む。
【０２４６】
例９３は、例９２の主題を含み、オプションで、上記トランスポートレイヤ接続は、上記第１のｅＮＢと上記コアネットワークノードとの間のストリーム制御通信プロトコル（ＳＣＴＰ）接続を含む。
【０２４７】
例９４は、例９３の主題を含み、オプションで、上記方法は、上記第２のｅＮＢに専用の上記ＳＣＴＰ接続を確立する段階を含む。
【０２４８】
例９５は、例９３の主題を含み、オプションで、上記方法は、複数の第２のｅＮＢと上記コアネットワークノードとの間で通信すべく、上記ＳＣＴＰ接続を確立する段階を含む。
【０２４９】
例９６は、例８８から９５のいずれかの主題を含み、オプションで、上記Ｘ２ＡＰメッセージはＸ２ＡＰ転送メッセージを含む。
【０２５０】
例９７は、セルラ通信の装置であって、第１の進化型ノードＢ（ｅＮＢ）から、第２のｅＮＢへ、コアネットワークノード検出要求を含む第１のメッセージを送信するための手段と、上記第２のｅＮＢからコアネットワークノード識別子を含む第２のメッセージを受信するための手段と、上記コアネットワークノード識別子を使用して、上記第１のｅＮＢとコアネットワークとの間にＳ１接続を確立するための手段と、を備える装置を含む。
【０２５１】
例９８は、例９７の主題を含み、オプションで、上記コアネットワークのコアネットワーク接続が切断されると、上記第１のメッセージを送信するための手段を含む。
【０２５２】
例９９は、例９７または９８の主題を含み、オプションで、複数の第２のｅＮＢに、上記第１のメッセージを送信し、上記複数の第２のｅＮＢのうちの２または２より多いものから、複数のコアネットワークノード識別子を含む２または２より多い第２のメッセージを受信し、上記複数のコアネットワークノード識別子のうち選択されたコアネットワークノード識別子を使用して、上記コアネットワークとの上記Ｓ１接続を確立するための手段を含む。
【０２５３】
例１００は、例９７から９９のいずれかの主題を含み、オプションで、上記第１のｅＮＢと上記第２のｅＮＢとの間でＸ２アプリケーションプロトコル（Ｘ２ＡＰ）メッセージを通信するための手段を備え、上記Ｘ２ＡＰメッセージは、上記コアネットワークノード識別子を含み、上記第１のｅＮＢと上記コアネットワークとの間の上記Ｓ１接続のＳ１アプリケーションプロトコル（Ｓ１ＡＰ）メッセージをカプセル化する。
【０２５４】
例１０１は、例１００の主題を含み、オプションで、上記Ｘ２ＡＰメッセージはＸ２ＡＰ転送メッセージを含む。
【０２５５】
例１０２は、例９７から１０１のいずれかの主題を含み、オプションで、上記Ｓ１接続はトランスポートレイヤ接続を介する。
【０２５６】
例１０３は、例１０２の主題を含み、オプションで、上記トランスポートレイヤ接続は、ストリーム制御通信プロトコル（ＳＣＴＰ）接続である。
【０２５７】
例１０４は、例９７から１０３のいずれかの主題を含み、オプションで、上記コアネットワークノード識別子は、モビリティ管理エンティティ（ＭＭＥ）識別子を含む。
【０２５８】
例１０５は、例１０４の主題を含み、オプションで、上記ＭＭＥ識別子は、ＭＭＥインターネットプロトコル（ＩＰ）アドレス、またはグローバル一意ＭＭＥ識別子（ＧＵＭＭＥＩ）を含む。
【０２５９】
例１０６は、例９７から１０５のいずれかの主題を含み、オプションで、上記第１のメッセージは、Ｘ２アプリケーションプロトコル（Ｘ２ＡＰ）バックホール接続性要求を含み、上記第２のメッセージは、Ｘ２ＡＰバックホール接続性応答を含む。
【０２６０】
例１０７は、セルラ通信の装置であって、第１の進化型ノードＢ（ｅＮＢ）において、第２のｅＮＢから、コアネットワークノード検出要求を受信するための手段と、上記第１のｅＮＢから上記第２のｅＮＢへ、コアネットワークノードを表わすコアネットワークノード識別子を含む応答を送信するための手段と、を備える装置を含む。
【０２６１】
例１０８は、例１０７の主題を含み、オプションで、上記第１のｅＮＢから、上記コアネットワークノードに接続するための要求を受信し、上記第１のｅＮＢを介して、上記第２のｅＮＢと上記コアネットワークとの間にＳ１接続を確立するための手段を含む。
【０２６２】
例１０９は、例１０８の主題を含み、オプションで、上記第１のｅＮＢと上記第２のｅＮＢとの間でＸ２アプリケーションプロトコル（Ｘ２ＡＰ）メッセージを通信するための手段と、上記第１のｅＮＢと上記コアネットワークノードとの間のトランスポートレイヤ接続を介して、上記コアネットワークと上記Ｓ１ＡＰメッセージを通信するための手段と、を含み、上記Ｘ２ＡＰは、上記コアネットワークノード識別子を含み、上記第２のｅＮＢと上記コアネットワークとの間の上記Ｓ１接続のＳ１アプリケーションプロトコル（Ｓ１ＡＰ）メッセージをカプセル化する。
【０２６３】
例１１０は、例１０９の主題を含み、オプションで、上記トランスポートレイヤ接続は、上記第１のｅＮＢと上記コアネットワークノードとの間のストリーム制御通信プロトコル（ＳＣＴＰ）接続を含む。
【０２６４】
例１１１は、例１１０の主題を含み、オプションで、上記第２のｅＮＢに専用の上記ＳＣＴＰ接続を確立するための手段を含む。
【０２６５】
例１１２は、例１１０の主題を含み、オプションで、複数の第２のｅＮＢと上記コアネットワークノードとの間で通信すべく、上記ＳＣＴＰ接続を確立するための手段を含む。
【０２６６】
例１１３は、例１０９から１１２のいずれかの主題を含み、オプションで、上記Ｘ２ＡＰメッセージはＸ２ＡＰ転送メッセージを含む。
【０２６７】
例１１４は、例１０７または１０８の主題を含み、オプションで、上記コアネットワークノード識別子は、上記第１のｅＮＢのアドレスを含む。
【０２６８】
上記例１１５は、例１１４の主題を含み、オプションで、上記第２のｅＮＢから、上記第１のｅＮＢにアドレス指定されたＳ１アプリケーションプロトコル（Ｓ１ＡＰ）セットアップメッセージを受信し、上記第１のｅＮＢと上記第２のｅＮＢとの間のＳ１接続をセットアップし、上記Ｓ１接続を、上記第１のｅＮＢと上記コアネットワークのモビリティ管理エンティティ（ＭＭＥ）との間のストリーム制御通信プロトコル（ＳＣＴＰ）接続にマッピングし、上記Ｓ１接続を介して上記第２のｅＮＢとＳ１ＡＰメッセージを通信し、上記ＳＣＴＰ接続を介して上記ＭＭＥと上記Ｓ１ＡＰメッセージを通信するための手段を含む。
【０２６９】
例１１６は、例１１５の主題を含み、オプションで、上記第２のｅＮＢに専用の上記ＳＣＴＰ接続を確立するための手段を含む。
【０２７０】
例１１７は、例１１５の主題を含み、オプションで、複数の第２のｅＮＢと上記コアネットワークノードとの間で通信すべく、上記ＳＣＴＰ接続を確立するための手段を含む。
【０２７１】
例１１８は、例１０７から１１７のいずれかの主題を含み、オプションで、上記コアネットワークノード識別子は、モビリティ管理エンティティ（ＭＭＥ）識別子を含む。
【０２７２】
例１１９は、セルラ通信の装置であって、第１の進化型ノードＢ（ｅＮＢ）において、上記第１のｅＮＢを介して、第２のｅＮＢとコアネットワークのコアネットワークノードとの間のＳ１接続を確立するための手段と、上記第１のｅＮＢと上記第２のｅＮＢとの間でＸ２アプリケーションプロトコル（Ｘ２ＡＰ）メッセージを通信するための手段と、を備え、上記Ｘ２ＡＰメッセージは、上記コアネットワークノードのコアネットワークノード識別子を含み、上記第２のｅＮＢと上記コアネットワークノードとの間の上記Ｓ１接続のＳ１アプリケーションプロトコル（Ｓ１ＡＰ）メッセージをカプセル化する、装置を含む。
【０２７３】
例１２０は、例１１９の主題を含み、オプションで、上記第２のｅＮＢから、コアネットワークノード検出要求を受信し、上記第２のｅＮＢに、上記コアネットワークノードのコアネットワークノード識別子を含む応答を送信するための手段を含む。
【０２７４】
例１２１は、例１２０の主題を含み、オプションで、上記コアネットワークノード識別子は、モビリティ管理エンティティ（ＭＭＥ）識別子を含む。
【０２７５】
例１２２は、例１２１の主題を含み、オプションで、上記ＭＭＥ識別子は、ＭＭＥインターネットプロトコル（ＩＰ）アドレス、またはグローバル一意ＭＭＥ識別子（ＧＵＭＭＥＩ）を含む。
【０２７６】
例１２３は、例１１９から１２２のいずれかの主題を含み、オプションで、上記第１のｅＮＢと上記コアネットワークノードとの間のトランスポートレイヤ接続を介して上記Ｓ１接続を確立するための手段を含む。
【０２７７】
例１２４は、例１２３の主題を含み、オプションで、上記トランスポートレイヤ接続は、上記第１のｅＮＢと上記コアネットワークノードとの間のストリーム制御通信プロトコル（ＳＣＴＰ）接続を含む。
【０２７８】
例１２５は、例１２４の主題を含み、オプションで、上記第２のｅＮＢに専用の上記ＳＣＴＰ接続を確立するための手段を含む。
【０２７９】
例１２６は、例１２４の主題を含み、オプションで、複数の第２のｅＮＢと上記コアネットワークノードとの間で通信すべく、上記ＳＣＴＰ接続を確立するための手段を含む。
【０２８０】
例１２７は、例１１９から１２６のいずれかの主題を含み、オプションで、上記Ｘ２ＡＰメッセージは、Ｘ２ＡＰ転送メッセージを含む。
【０２８１】
１または複数の実施形態に関し、本明細書に記載された複数の機能、動作、コンポーネントおよび／または特徴は、１または複数の他の実施形態に関し記載された１または複数の他の機能、動作、コンポーネントおよび／または特徴と組み合わされてよく、またはそれらのとの組み合わせにおいて利用されてよく、あるいは逆も同様である。
【０２８２】
複数の特定の特徴が本明細書に図示され、記載されたが、多くの修正形態、置換形態、変更形態および均等形態が当業者に想起され得る。従って、添付の特許請求の範囲は、本開示の真の精神の範囲内に属するそのような修正形態および変更形態をすべて包含する意図であることを理解すべきである。本明細書によれば、以下の各項目に記載の事項もまた開示される。
［項目１］
第１の進化型ノードＢ（ｅＮＢ）であって、
ユーザ機器（ＵＥ）と通信するセルラトランシーバと、
少なくとも１つの第２のｅＮＢと通信するＸ２インタフェースと、
前記第２のｅＮＢに、コアネットワークノード検出要求を含む第１のメッセージを送信し、前記第２のｅＮＢから、コアネットワークノード識別子を含む第２のメッセージを受信し、前記コアネットワークノード識別子を使用して当該第１のｅＮＢとコアネットワークとの間にＳ１接続を確立するコントローラと、を備える、第１のｅＮＢ。
［項目２］
前記コアネットワークと通信するコアネットワークインタフェースを備え、
前記コントローラは、前記コアネットワークから前記コアネットワークインタフェースが切断されると、前記第１のメッセージを送信する、項目１に記載の第１のｅＮＢ。
［項目３］
前記コントローラは、複数の第２のｅＮＢに前記第１のメッセージを送信し、前記複数の第２のｅＮＢのうちの２または２より多いものから、複数のコアネットワークノード識別子を含む２または２より多い第２のメッセージを受信し、前記複数のコアネットワークノード識別子のうち選択されたコアネットワークノード識別子を使用して、前記コアネットワークとの前記Ｓ１接続を確立する、項目１に記載の第１のｅＮＢ。
［項目４］
前記コントローラは、前記第１のｅＮＢと前記第２のｅＮＢとの間でＸ２アプリケーションプロトコル（Ｘ２ＡＰ）メッセージを通信し、
前記Ｘ２ＡＰメッセージは、前記コアネットワークノード識別子を含み、前記第１のｅＮＢと前記コアネットワークとの間の前記Ｓ１接続のＳ１アプリケーションプロトコル（Ｓ１ＡＰ）メッセージをカプセル化する、項目１に記載の第１のｅＮＢ。
［項目５］
前記Ｘ２ＡＰメッセージは、Ｘ２ＡＰ転送メッセージを含む、項目４に記載の第１のｅＮＢ。
［項目６］
前記コアネットワークノード識別子は、モビリティ管理エンティティ（ＭＭＥ）識別子を含む、項目１から５のいずれか一項に記載の第１のｅＮＢ。
［項目７］
前記ＭＭＥ識別子は、ＭＭＥインターネットプロトコル（ＩＰ）アドレス、またはグローバル一意ＭＭＥ識別子（ＧＵＭＭＥＩ）を含む、項目６に記載の第１のｅＮＢ。
［項目８］
前記第１のメッセージは、Ｘ２アプリケーションプロトコル（Ｘ２ＡＰ）バックホール接続性要求を含み、前記第２のメッセージは、Ｘ２ＡＰバックホール接続性応答を含む、項目１から５のいずれか一項に記載の第１のｅＮＢ。
［項目９］
１または複数のアンテナ、メモリ、およびプロセッサを備える、項目１から５のいずれか一項に記載の第１のｅＮＢ。
［項目１０］
第１の進化型ノードＢ（ｅＮＢ）を備えるセルラ通信のシステムであって、
コアネットワークと通信するコアネットワークインタフェースと、
少なくとも１つの第２のｅＮＢと通信するＸ２インタフェースと、
前記第２のｅＮＢから、コアネットワークノード検出要求を受信し、前記第２のｅＮＢに、コアネットワークノードを表わすコアネットワークノード識別子を含む応答を送信するコントローラと、を備える、システム。
［項目１１］
前記コントローラは、前記第１のｅＮＢから、前記コアネットワークノードに接続するための要求を受信し、前記コントローラは、前記第１のｅＮＢを介して前記第２のｅＮＢと前記コアネットワークとの間にＳ１接続を確立する、項目１０に記載のシステム。
［項目１２］
前記コントローラは、前記第１のｅＮＢと前記第２のｅＮＢとの間でＸ２アプリケーションプロトコル（Ｘ２ＡＰ）メッセージを通信し、
前記Ｘ２ＡＰメッセージは、前記コアネットワークノード識別子を含み、前記第２のｅＮＢと前記コアネットワークとの間の前記Ｓ１接続のＳ１アプリケーションプロトコル（Ｓ１ＡＰ）メッセージをカプセル化し、
前記コントローラは、前記第１のｅＮＢと前記コアネットワークノードとの間のトランスポートレイヤ接続を介して、前記コアネットワークと前記Ｓ１ＡＰメッセージを通信する、項目１１に記載のシステム。
［項目１３］
前記トランスポートレイヤ接続は、前記第１のｅＮＢと前記コアネットワークノードとの間のストリーム制御通信プロトコル（ＳＣＴＰ）接続を含む、項目１２に記載のシステム。
［項目１４］
前記コントローラは、複数の第２のｅＮＢと前記コアネットワークノードとの間で通信すべく、前記ＳＣＴＰ接続を確立する、項目１３に記載のシステム。
［項目１５］
前記コアネットワークノード識別子は、前記第１のｅＮＢのアドレスを含む、項目１０に記載のシステム。
［項目１６］
前記コントローラは、前記第２のｅＮＢから、前記第１のｅＮＢにアドレス指定されたＳ１アプリケーションプロトコル（Ｓ１ＡＰ）セットアップメッセージを受信し、
前記コントローラは、前記第１のｅＮＢと前記第２のｅＮＢとの間のＳ１接続をセットアップし、前記Ｓ１接続を、前記第１のｅＮＢと前記コアネットワークのモビリティ管理エンティティ（ＭＭＥ）との間のストリーム制御通信プロトコル（ＳＣＴＰ）接続にマッピングし、前記Ｓ１接続を介して前記第２のｅＮＢとＳ１ＡＰメッセージを通信し、前記ＳＣＴＰ接続を介して前記ＭＭＥと前記Ｓ１ＡＰメッセージを通信する、項目１５に記載のシステム。
［項目１７］
前記コアネットワークノード識別子は、モビリティ管理エンティティ（ＭＭＥ）識別子を含む、項目１０から１６のいずれか一項に記載のシステム。
［項目１８］
前記第１のｅＮＢは、１または複数のアンテナ、メモリ、およびプロセッサを含む、項目１０から１６のいずれか一項に記載のシステム。
［項目１９］
第１の進化型ノードＢ（ｅＮＢ）において実行される方法であって、
前記第１のｅＮＢを介して、第２のｅＮＢとコアネットワークのコアネットワークノードとの間のＳ１接続を確立する段階と、
前記第１のｅＮＢと前記第２のｅＮＢとの間でＸ２アプリケーションプロトコル（Ｘ２ＡＰ）メッセージを通信する段階と、を備え、
前記Ｘ２ＡＰメッセージは、前記コアネットワークノードのコアネットワークノード識別子を含み、前記第２のｅＮＢと前記コアネットワークノードとの間の前記Ｓ１接続のＳ１ＡＰメッセージをカプセル化する、方法。
［項目２０］
前記第２のｅＮＢから、コアネットワークノード検出要求を受信する段階と、
前記第２のｅＮＢに、前記コアネットワークノードのコアネットワークノード識別子を含む応答を送信する段階と、を備える、項目１９に記載の方法。
［項目２１］
前記コアネットワークノード識別子は、モビリティ管理エンティティ（ＭＭＥ）識別子を含む、項目２０に記載の方法。
［項目２２］
前記第１のｅＮＢと前記コアネットワークノードとの間のトランスポートレイヤ接続を介して前記Ｓ１接続を確立する段階を備える、項目１９に記載の方法。
［項目２３］
コンピュータに、第１の進化型ノードＢ（ｅＮＢ）において、
第２のｅＮＢに、コアネットワークノード検出要求を含む第１のメッセージを送信する手順と、
前記第２のｅＮＢから、コアネットワークノード識別子を含む第２のメッセージを受信する手順と、
前記コアネットワークノード識別子を使用して、前記第１のｅＮＢとコアネットワークとの間にＳ１接続を確立する手順と、を実行させる、プログラム。
［項目２４］
前記コンピュータに、
複数の第２のｅＮＢに、前記第１のメッセージを送信する手順と、
前記複数の第２のｅＮＢのうちの２または２より多いものから、複数のコアネットワークノード識別子を含む２または２より多い第２のメッセージを受信する手順と、
前記複数のコアネットワークノード識別子のうち選択されたコアネットワークノード識別子を使用して、前記コアネットワークとの前記Ｓ１接続を確立する手順と、を実行させる、項目２３に記載のプログラム。
［項目２５］
前記コンピュータに、
前記第１のｅＮＢと前記第２のｅＮＢとの間でＸ２アプリケーションプロトコル（Ｘ２ＡＰ）メッセージを通信する手順を実行させ、
前記Ｘ２ＡＰメッセージは、前記コアネットワークノード識別子を含み、前記第１のｅＮＢと前記コアネットワークとの間の前記Ｓ１接続のＳ１ＡＰメッセージをカプセル化する、項目２３または２４に記載のプログラム。
［項目２６］
項目２３から２５のいずれか一項に記載のプログラムを格納するコンピュータ可読記憶媒体。
【図１】
0006339217.tif 000005
【図２】
0006339217.tif 000006
【図３】
0006339217.tif 000007
【図４】
0006339217.tif 000008